(57)【要約】  この出願の実施形態は、データ伝送方法、ネットワークデバイス及び端末デバイスを提供する。当該方法は、ネットワークデバイスにより、アップリンク信号内の第1の信号を検出するステップと、ネットワークデバイスにより、第1の信号を検出した結果に基づいて、アップリンク信号の信号構造を決定するステップと、ネットワークデバイスにより、信号構造に基づいて、アップリンク信号を受信するステップ、及び/又は信号構造に基づいて、アップリンク信号に応答するステップとを含む。この出願の実施形態におけるデータ伝送方法によれば、データを受信する前に、ネットワークデバイスは、端末デバイスにより使用されるアップリンク信号の信号構造を決定し、次いで、対応する受信方法を使用できる。これは、ネットワークデバイスにより実行される完全なブラインド検出により引き起こされる複雑性及び信頼性リスクを回避し、遅延及びシグナリングオーバーヘッドを効果的に低減できる。
2020507945.tif 000002
【特許請求の範囲】
【請求項１】
データ伝送方法であって、
ネットワークデバイスにより、アップリンク信号内の第1の信号を検出するステップと、
前記ネットワークデバイスにより、前記第1の信号を検出した結果に基づいて、前記アップリンク信号の信号構造を決定するステップと、
前記ネットワークデバイスにより、前記信号構造に基づいて、前記アップリンク信号を受信するステップ、及び/又は前記信号構造に基づいて、前記アップリンク信号に応答するステップと
を含む方法。
【請求項２】
前記ネットワークデバイスが前記第1の信号を見つけた場合、
前記ネットワークデバイスにより、前記第1の信号を検出した結果に基づいて、前記アップリンク信号の信号構造を決定するステップは、
前記ネットワークデバイスにより、第1のマッピング関係情報及び前記第1の信号に基づいて、前記信号構造を決定するステップであり、前記第1のマッピング関係情報は、前記第1の信号と前記信号構造との間の対応関係、及び/又は前記第1の信号を伝送するために使用されるリソースと前記信号構造との間の対応関係を含む、ステップを含む、請求項１に記載の方法。
【請求項３】
前記ネットワークデバイスにより、第1のマッピング関係情報及び前記第1の信号に基づいて、前記信号構造を決定するステップは、
前記ネットワークデバイスにより、前記第1のマッピング関係情報及び前記第1の信号に基づいて、前記アップリンク信号が前記第1の信号のみを含むと決定するステップを含み、
前記ネットワークデバイスにより、前記信号構造に基づいて、前記アップリンク信号を受信するステップ、及び/又は前記信号構造に基づいて、前記アップリンク信号に応答するステップは、
前記ネットワークデバイスにより、応答メッセージを端末デバイスに送信するステップであり、前記応答メッセージは、前記第1の信号のフィードバック情報を含む、ステップを含む、請求項２に記載の方法。
【請求項４】
前記ネットワークデバイスにより、前記信号構造に基づいて、前記アップリンク信号を受信するステップ、及び/又は前記信号構造に基づいて、前記アップリンク信号に応答するステップの前に、
前記ネットワークデバイスにより、第2のマッピング関係情報及び前記第1の信号に基づいて、第2の信号を決定するステップであり、前記第2のマッピング関係情報は、前記第2の信号と前記第1の信号との間の対応関係と、前記第1の信号と第3の信号、第1のデータの属性情報及び第2のデータの属性情報のうち少なくとも1つとの間の対応関係とを含む、ステップを更に含む、請求項２に記載の方法。
【請求項５】
前記ネットワークデバイスにより、第1のマッピング関係情報及び前記第1の信号に基づいて、前記信号構造を決定するステップは、
前記ネットワークデバイスにより、前記第1のマッピング関係情報及び前記第1の信号に基づいて、前記アップリンク信号が前記第1の信号、前記第2の信号、前記第3の信号及び前記第1のデータを含むと決定するステップを含み、
前記ネットワークデバイスにより、前記信号構造に基づいて、前記アップリンク信号を受信するステップ、及び/又は前記信号構造に基づいて、前記アップリンク信号に応答するステップは、
前記ネットワークデバイスにより、前記第2のマッピング関係情報及び前記第1の信号に基づいて、前記第3の信号及び前記第1のデータの前記属性情報を決定するステップと、
前記ネットワークデバイスにより、前記第2の信号、前記第3の信号及び前記第1のデータの前記属性情報に基づいて、前記第1のデータを受信するステップと、
前記ネットワークデバイスにより、応答メッセージを端末デバイスに送信するステップであり、前記応答メッセージは、前記第1の信号のフィードバック情報及び前記第1のデータのフィードバック情報を含む、ステップと
を含む、請求項４に記載の方法。
【請求項６】
前記ネットワークデバイスにより、第1のマッピング関係情報及び前記第1の信号に基づいて、前記信号構造を決定するステップは、
前記ネットワークデバイスにより、前記第1のマッピング関係情報及び前記第1の信号に基づいて、前記アップリンク信号が前記第1の信号、前記第2の信号及び前記第2のデータを含むと決定するステップを含み、
前記ネットワークデバイスにより、前記信号構造に基づいて、前記アップリンク信号を受信するステップ、及び/又は前記信号構造に基づいて、前記アップリンク信号に応答するステップは、
前記ネットワークデバイスにより、前記第2の信号に基づいて、前記第2のデータを受信するステップと、
前記ネットワークデバイスにより、応答メッセージを端末デバイスに送信するステップであり、前記応答メッセージは、前記第1の信号のフィードバック情報を含む、ステップと
を含む、請求項４に記載の方法。
【請求項７】
前記ネットワークデバイスが第1の信号を見つけなかった場合、
前記ネットワークデバイスにより、前記第1の信号を検出した結果に基づいて、前記アップリンク信号の信号構造を決定するステップは、
前記ネットワークデバイスにより、前記アップリンク信号が第2の信号、第3の信号及び第1のデータを含むと決定するステップを含み、
前記ネットワークデバイスにより、前記信号構造に基づいて、前記アップリンク信号を受信するステップ、及び/又は前記信号構造に基づいて、前記アップリンク信号に応答するステップは、
前記ネットワークデバイスにより、第3のマッピング関係情報に基づいて、前記第2の信号、前記第3の信号及び前記第1のデータの属性情報を決定するステップと、
前記ネットワークデバイスにより、前記第2の信号、前記第3の信号及び前記第1のデータの前記属性情報に基づいて、前記第1のデータを受信するステップと、
前記ネットワークデバイスにより、応答メッセージを端末デバイスに送信するステップであり、前記応答メッセージは、前記第1のデータのフィードバック情報を含む、ステップと
を含む、請求項１に記載の方法。
【請求項８】
前記第3のマッピング関係情報は、前記第1のデータの前記属性情報と前記第2の信号と前記第3の信号との間の対応関係を含む、請求項７に記載の方法。
【請求項９】
前記属性情報は、直交周波数分割多重OFDMシンボルのサイクリックプレフィックス長、OFDMシンボルリソース並びに変調及び符号化方式MCSのうち少なくとも1つを含む、請求項４、５、６及び８のうちいずれか１項に記載の方法。
【請求項１０】
前記第1の信号は、前記端末デバイスと前記ネットワークデバイスとの間のアップリンク同期に使用され、前記第3の信号は、前記端末デバイスと前記ネットワークデバイスとの間のアップリンクチャネルを推定するために使用される、請求項４乃至９のうちいずれか１項に記載の方法。
【請求項１１】
データ伝送方法であって、
端末デバイスにより、アップリンク状態及びターゲットデータのタイプに基づいて、アップリンク信号の信号構造を決定するステップと、
前記端末デバイスにより、第1のマッピング関係情報及び前記アップリンク信号の前記信号構造に基づいて、前記アップリンク信号を送信するステップと
を含む方法。
【請求項１２】
前記第1のマッピング関係情報は、第1の信号と前記信号構造との間の対応関係、及び/又は前記第1の信号を伝送するために使用されるリソースと前記信号構造との間の対応関係を含む、請求項１１に記載の方法。
【請求項１３】
前記アップリンク状態は、アップリンク同期外れ状態である、請求項１１又は１２に記載の方法。
【請求項１４】
前記ターゲットデータは空であり、
端末デバイスにより、アップリンク状態及びターゲットデータのタイプに基づいて、アップリンク信号の信号構造を決定するステップは、
前記端末デバイスにより、前記第1のマッピング関係情報に基づいて、前記アップリンク信号が前記第1の信号のみを含むと決定するステップを含む、請求項１３に記載の方法。
【請求項１５】
前記端末デバイスにより、第1のマッピング関係情報及び前記アップリンク信号の前記信号構造に基づいて、前記アップリンク信号を送信するステップの前に、
前記端末デバイスにより、第2のマッピング関係情報及び前記第1の信号に基づいて、第2の信号を決定するステップであり、前記第2のマッピング関係情報は、前記第2の信号と前記第1の信号との間の対応関係と、前記第1の信号と第3の信号、第1のデータの属性情報及び第2のデータの属性情報のうち少なくとも1つとの間の対応関係を含む、ステップを更に含む、請求項１１又は１２に記載の方法。
【請求項１６】
前記ターゲットデータはアプリケーション層データであり、
端末デバイスにより、アップリンク状態及びターゲットデータのタイプに基づいて、アップリンク信号の信号構造を決定するステップは、
前記端末デバイスにより、前記第1のマッピング関係情報及び前記第2のマッピング関係情報に基づいて、前記アップリンク信号が前記第1の信号、前記第2の信号、前記第3の信号及び前記第1のデータを含むと決定するステップを含む、請求項１５に記載の方法。
【請求項１７】
前記ターゲットデータは非アプリケーション層データであり、
端末デバイスにより、アップリンク状態及びターゲットデータのタイプに基づいて、アップリンク信号の信号構造を決定するステップは、
前記端末デバイスにより、前記第1のマッピング関係情報及び前記第2のマッピング関係情報に基づいて、前記アップリンク信号が前記第1の信号、前記第2の信号及び前記第2のデータを含むと決定するステップを含む、請求項１５に記載の方法。
【請求項１８】
前記アップリンク状態はアップリンク同期状態であり、前記ターゲットデータはアプリケーション層データであり、
端末デバイスにより、アップリンク状態及びターゲットデータのタイプに基づいて、アップリンク信号の信号構造を決定するステップは、
前記端末デバイスにより、第3のマッピング関係情報に基づいて、前記アップリンク信号が第2の信号、第3の信号及び第1のデータを含むと決定するステップを含む、請求項１１に記載の方法。
【請求項１９】
前記第3のマッピング関係情報は、前記第1のデータの属性情報と前記第2の信号と前記第3の信号との間の対応関係を含む、請求項１８に記載の方法。
【請求項２０】
データ伝送のためのネットワークデバイスであって、
アップリンク信号内の第1の信号を検出するように構成された検出ユニットと、
前記第1の信号を検出した結果に基づいて、前記アップリンク信号の信号構造を決定するように構成された処理ユニットと、
前記信号構造に基づいて、前記アップリンク信号を受信するように、及び/又は前記信号構造に基づいて、前記アップリンク信号に応答するように構成された送受信ユニットと
を含むネットワークデバイス。
【請求項２１】
前記ネットワークデバイスが前記第1の信号を見つけた場合、前記処理ユニットは、
第1のマッピング関係情報及び前記第1の信号に基づいて、前記信号構造を決定するように具体的に構成され、
前記第1のマッピング関係情報は、前記第1の信号と前記信号構造との間の対応関係、及び/又は前記第1の信号を伝送するために使用されるリソースと前記信号構造との間の対応関係を含む、請求項２０に記載のネットワークデバイス。
【請求項２２】
前記処理ユニットは、
前記第1のマッピング関係情報及び前記第1の信号に基づいて、前記アップリンク信号が前記第1の信号のみを含むと決定するように具体的に構成され、
前記送受信ユニットは、
応答メッセージを端末デバイスに送信するように具体的に構成され、前記応答メッセージは、前記第1の信号のフィードバック情報を含む、請求項２０に記載のネットワークデバイス。
【請求項２３】
前記ネットワークデバイスにより、前記信号構造に基づいて、前記アップリンク信号を受信する前に、及び/又は前記信号構造に基づいて、前記アップリンク信号に応答する前に、前記処理ユニットは、
第2のマッピング関係情報及び前記第1の信号に基づいて、第2の信号を決定するように更に構成され、
前記第2のマッピング関係情報は、前記第2の信号と前記第1の信号との間の対応関係と、前記第1の信号と第3の信号、第1のデータの属性情報及び第2のデータの属性情報のうち少なくとも1つとの間の対応関係とを含む、請求項２０又は２１に記載のネットワークデバイス。
【請求項２４】
前記処理ユニットは、
前記第1のマッピング関係情報及び前記第1の信号に基づいて、前記アップリンク信号が前記第1の信号、前記第2の信号、前記第3の信号及び前記第1のデータを含むと決定するように具体的に構成され、
前記送受信ユニットは、
前記第2のマッピング関係情報及び前記第1の信号に基づいて、前記第3の信号及び前記第1のデータの前記属性情報を決定し、
前記第2の信号、前記第3の信号及び前記第1のデータの前記属性情報に基づいて、前記第1のデータを受信し、
応答メッセージを端末デバイスに送信するように具体的に構成され、前記応答メッセージは、前記第1の信号のフィードバック情報及び前記第1のデータのフィードバック情報を含む、請求項２３に記載のネットワークデバイス。
【請求項２５】
前記処理ユニットは、
前記第1のマッピング関係情報及び前記第1の信号に基づいて、前記アップリンク信号が前記第1の信号、前記第2の信号及び前記第2のデータを含むと決定するように具体的に構成され、
前記送受信ユニットは、
前記第2の信号に基づいて、前記第2のデータを受信し、
応答メッセージを端末デバイスに送信するように具体的に構成され、前記応答メッセージは、前記第1の信号のフィードバック情報を含む、請求項２３に記載のネットワークデバイス。
【請求項２６】
前記ネットワークデバイスが第1の信号を見つけなかった場合、
前記処理ユニットは、
第3のマッピング関係情報に基づいて、前記アップリンク信号が第2の信号、第3の信号及び第1のデータを含むと決定するように具体的に構成され、
前記送受信ユニットは、
前記第3のマッピング関係情報に基づいて、前記第2の信号、前記第3の信号及び前記第1のデータの属性情報を決定し、
前記第2の信号、前記第3の信号及び前記第1のデータの前記属性情報に基づいて、前記第1のデータを受信し、
応答メッセージを端末デバイスに送信するように具体的に構成され、前記応答メッセージは、前記第1のデータのフィードバック情報を含む、請求項２０に記載のネットワークデバイス。
【請求項２７】
前記第3のマッピング関係情報は、前記第1のデータの前記属性情報と前記第2の信号と前記第3の信号との間の対応関係を含む、請求項２６に記載のネットワークデバイス。
【請求項２８】
前記属性情報は、直交周波数分割多重OFDMシンボルのサイクリックプレフィックス長、OFDMシンボルリソース並びに変調及び符号化方式MCSのうち少なくとも1つを含む、請求項２３、２４、２５及び２７のうちいずれか１項に記載のネットワークデバイス。
【請求項２９】
前記応答メッセージは、前記端末デバイスのアップリンクグラント情報を更に含む、請求項２２、２４、２５及び２６のうちいずれか１項に記載のネットワークデバイス。
【請求項３０】
前記第1の信号は、前記端末デバイスと前記ネットワークデバイスとの間のアップリンク同期に使用され、前記第3の信号は、前記端末デバイスと前記ネットワークデバイスとの間のアップリンクチャネルを推定するために使用される、請求項２３乃至２９のうちいずれか１項に記載のネットワークデバイス。
【請求項３１】
前記第1の信号、前記第2の信号、前記第3の信号及び前記第2のデータのうち少なくとも2つは、同じ系列又は同じ信号である、請求項２３乃至３０のうちいずれか１項に記載のネットワークデバイス。
【請求項３２】
前記検出ユニットが前記第1の信号を検出する前に、前記送受信ユニットは、
前記第1のマッピング関係情報、前記第2のマッピング関係情報及び前記第3のマッピング関係情報のうち少なくとも1つを前記端末デバイスに送信するように更に構成される、請求項２１乃至３１のうちいずれか１項に記載のネットワークデバイス。
【請求項３３】
データ伝送のための端末デバイスであって、
アップリンク状態及びターゲットデータのタイプに基づいて、アップリンク信号の信号構造を決定するように構成された処理ユニットと、
第1のマッピング関係情報及び前記アップリンク信号の前記信号構造に基づいて、前記アップリンク信号を送信するように構成された送受信ユニットと
を含む端末デバイス。
【請求項３４】
前記第1のマッピング関係情報は、第1の信号と前記アップリンク信号の前記信号構造との間の対応関係、及び/又は前記第1の信号を伝送するために使用されるリソースと前記アップリンク信号の前記信号構造との間の対応関係を含む、請求項３３に記載の端末デバイス。
【請求項３５】
前記アップリンク状態は、アップリンク同期外れ状態である、請求項３３又は３４に記載の端末デバイス。
【請求項３６】
前記ターゲットデータは空であり、
前記処理ユニットは、
前記第1のマッピング関係情報に基づいて、前記アップリンク信号が前記第1の信号のみを含むと決定するように具体的に構成される、請求項３５に記載の端末デバイス。
【請求項３７】
前記送受信ユニットが前記第1のマッピング関係情報及び前記アップリンク信号の前記信号構造に基づいて、前記アップリンク信号を送信する前に、前記処理ユニットは、
第2のマッピング関係情報及び前記第1の信号に基づいて、第2の信号を決定するように更に構成され、
前記第2のマッピング関係情報は、前記第2の信号と前記第1の信号との間の対応関係と、前記第1の信号と第3の信号、第1のデータの属性情報及び第2のデータの属性情報のうち少なくとも1つとの間の対応関係を含む、請求項３３又は３４に記載の端末デバイス。
【請求項３８】
前記ターゲットデータはアプリケーション層データであり、
前記処理ユニットは、
前記第1のマッピング関係情報及び前記第2のマッピング関係情報に基づいて、前記アップリンク信号が前記第1の信号、前記第2の信号、前記第3の信号及び前記第1のデータを含むと決定するように具体的に構成される、請求項３７に記載の端末デバイス。
【請求項３９】
前記ターゲットデータは非アプリケーション層データであり、
前記処理ユニットは、
前記第1のマッピング関係情報及び前記第2のマッピング関係情報に基づいて、前記アップリンク信号が前記第1の信号、前記第2の信号及び前記第2のデータを含むと決定するように具体的に構成される、請求項３７に記載の端末デバイス。
【請求項４０】
前記アップリンク状態はアップリンク同期状態であり、前記ターゲットデータはアプリケーション層データであり、
前記処理ユニットは、
前記第1のマッピング関係情報及び前記第3のマッピング関係情報に基づいて、前記アップリンク信号が第2の信号、第3の信号及び第1のデータを含むと決定するように具体的に構成される、請求項３３に記載の端末デバイス。
【請求項４１】
前記第3のマッピング関係情報は、前記第1のデータの属性情報と前記第2の信号と前記第3の信号との間の対応関係を含む、請求項４０に記載の端末デバイス。
【発明の詳細な説明】
【技術分野】
【０００１】
［関連出願への相互参照］
この出願は、2017年1月5日に中国特許庁に提出された「DATA  TRANSMISSION  METHOD,  NETWORK  DEVICE,  AND  TERMINAL  DEVICE」という名称の中国特許出願第201710008469.3号への優先権を主張するものであり、この全内容を参照により援用する。
【０００２】
［技術分野］
この出願の実施形態は、通信分野に関し、より具体的には、データ伝送方法、ネットワークデバイス及び端末デバイスに関する。
【背景技術】
【０００３】
要求及び動的(Dynamic)グラントベースの方法が、通常では、ロングタームエボリューション(Long  Term  Evolution,  LTE)システムにおいてアップリンクデータを伝送するために使用される。具体的には、データパケットが送信される必要があるとき、端末デバイスは、基地局からアップリンクデータパケットを送信するために使用されるリソース、使用するための変調及び符号化方式(Modulation  and  Coding  Scheme,  MCS)等を要求するために、スケジューリング要求を基地局に送信する。スケジューリング要求を受信した後に、端末デバイスがアップリンクデータパケットを送信することを基地局が許可した場合、基地局は、グラント(Grant)情報を生成し、グラント情報を端末デバイスに送信し、グラント情報は、データパケットを送信するために使用されるリソースのような情報を端末デバイスに通知するために使用される。グラント情報を受信した後に、端末デバイスは、グラント情報の指示に基づいてデータパケットを送信する。
【０００４】
しかし、スモールデータパケットの送信、例えば、5Gシステムにおける大容量マシンタイプ通信(massive  Machine  Type  Communication,  mMTC)シナリオ及び拡張モバイルブロードバンド(enhanced  Mobile  Broad  Band,  eMBB)シナリオにおけるスモールパケットサービスに関して、要求及び動的(Dynamic)グラントベースのデータ伝送方法が使用されるとき、遅延及び信号オーバーヘッドが過度に大きく、システム効率を低減する。
【０００５】
上記の問題を解決するために、明らかな周期性を有するスモールパケット伝送のシナリオのために、グラントフリー伝送方法が従来技術において使用される。具体的には、基地局は、グラント情報を端末デバイスに1回のみ送信する。以降のアップリンク伝送機会(サブフレーム等)において、データパケットが存在するとき、端末デバイスは、グラント情報を使用することによりデータパケットを送信する。このように、制御シグナリングオーバーヘッドが有意に低減できる。
【０００６】
しかし、端末デバイスがグラントフリー伝送方式を使用することによりアップリンクデータを伝送するとき、端末デバイス及び基地局は、アップリンク同期状態にある必要がある。具体的には、端末デバイスがアイドルモードにあるか或いはアップリンク同期を失っているとき、グラントフリー伝送方法を使用することによりデータを伝送する前に、端末デバイスは、まずランダムアクセス手順を通じて基地局とのアップリンク同期を実現する必要があり、次いで、端末デバイスは、グラントフリー伝送方法を使用することによりアップリンクデータを送信できる。その結果、遅延及びシグナリングオーバーヘッドは依然として比較的大きい。
【発明の概要】
【０００７】
この出願の実施形態は、遅延及びシグナリングオーバーヘッドを低減するためのデータ伝送方法、ネットワークデバイス及び端末デバイスを提供する。
【０００８】
第1の態様によれば、情報伝送方法が提供され、
ネットワークデバイスにより、アップリンク信号内の第1の信号を検出するステップと、
ネットワークデバイスにより、第1の信号を検出した結果に基づいて、アップリンク信号の信号構造を決定するステップと、
ネットワークデバイスにより、信号構造に基づいて、アップリンク信号を受信するステップ、及び/又は信号構造に基づいて、アップリンク信号に応答するステップと
を含む。
【０００９】
この出願のこの実施形態では、データを復調する前に、ネットワークデバイスは、端末デバイスにより使用されるアップリンク信号の信号構造を決定し、次いで、対応する受信方法を使用できる。これは、ネットワークデバイスにより実行される完全なブラインド検出により引き起こされる複雑性及び信頼性リスクを回避し、遅延及びシグナリングオーバーヘッドを効果的に低減できる。
【００１０】
さらに、いくつかの可能な設計では、ネットワークデバイスが第1の信号を見つけた場合、
ネットワークデバイスにより、第1の信号を検出した結果に基づいて、アップリンク信号の信号構造を決定するステップは、
ネットワークデバイスにより、第1のマッピング関係情報及び第1の信号に基づいて、信号構造を決定するステップであり、第1のマッピング関係情報は、第1の信号と信号構造との間の対応関係、及び/又は第1の信号を伝送するために使用されるリソースと信号構造との間の対応関係を含む、ステップを含む。
【００１１】
いくつかの可能な設計では、ネットワークデバイスにより、第1のマッピング関係情報及び第1の信号に基づいて、信号構造を決定するステップは、
ネットワークデバイスにより、第1のマッピング関係情報及び第1の信号に基づいて、アップリンク信号が第1の信号のみを含むと決定するステップを含み、
ネットワークデバイスにより、信号構造に基づいて、アップリンク信号を受信するステップ、及び/又は信号構造に基づいて、アップリンク信号に応答するステップは、
ネットワークデバイスにより、応答メッセージを端末デバイスに送信するステップであり、応答メッセージは、第1の信号のフィードバック情報を含む、ステップを含む。
【００１２】
さらに、いくつかの可能な設計では、ネットワークデバイスにより、信号構造に基づいて、アップリンク信号を受信するステップ、及び/又は信号構造に基づいて、アップリンク信号に応答するステップの前に、当該方法は、
ネットワークデバイスにより、第2のマッピング関係情報及び第1の信号に基づいて、第2の信号を決定するステップであり、第2のマッピング関係情報は、第2の信号と第1の信号との間の対応関係と、第1の信号と第3の信号、第1のデータの属性情報及び第2のデータの属性情報のうち少なくとも1つとの間の対応関係とを含む、ステップを更に含む。
【００１３】
この出願のこの実施形態では、ネットワークデバイスは、マッピング関係に基づいて、第2の信号及び/又は第3の信号及び/又は第2のデータを決定し、第2の信号及び/又は第3の信号を使用することにより第1のデータ及び/又は第2のデータを受信できる。これは、ネットワークデバイスの複雑性を更に低減し、遅延を低減し、信頼性を改善する。
【００１４】
さらに、いくつかの可能な設計では、ネットワークデバイスにより、第1のマッピング関係情報及び第1の信号に基づいて、信号構造を決定するステップは、
ネットワークデバイスにより、第1のマッピング関係情報、第2のマッピング関係情報及び第1の信号に基づいて、アップリンク信号が第1の信号、第2の信号、第3の信号及び第1のデータを含むと決定するステップを含み、
ネットワークデバイスにより、信号構造に基づいて、アップリンク信号を受信するステップ、及び/又は信号構造に基づいて、アップリンク信号に応答するステップは、
ネットワークデバイスにより、第2のマッピング関係情報及び第1の信号に基づいて、第3の信号及び第1のデータの属性情報を決定するステップと、
ネットワークデバイスにより、第2の信号、第3の信号及び第1のデータの属性情報に基づいて、第1のデータを受信するステップと、
ネットワークデバイスにより、応答メッセージを端末デバイスに送信するステップであり、応答メッセージは、第1の信号のフィードバック情報及び第1のデータのフィードバック情報を含む、ステップと
を含む。
【００１５】
さらに、いくつかの可能な設計では、ネットワークデバイスにより、第1のマッピング関係情報及び第1の信号に基づいて、信号構造を決定するステップは、
ネットワークデバイスにより、第1のマッピング関係情報及び第1の信号に基づいて、アップリンク信号が第1の信号、第2の信号及び第2のデータを含むと決定するステップを含み、
ネットワークデバイスにより、信号構造に基づいて、アップリンク信号を受信するステップ、及び/又は信号構造に基づいて、アップリンク信号に応答するステップは、
ネットワークデバイスにより、第2の信号に基づいて、第2のデータを受信するステップと、
ネットワークデバイスにより、応答メッセージを端末デバイスに送信するステップであり、応答メッセージは、第1の信号のフィードバック情報を含む、ステップと
を含む。
【００１６】
可能な設計では、ネットワークデバイスが第1の信号を見つけなかった場合、
ネットワークデバイスにより、第1の信号を検出した結果に基づいて、アップリンク信号の信号構造を決定するステップは、
ネットワークデバイスにより、アップリンク信号が第2の信号、第3の信号及び第1のデータを含むと決定するステップを含み、
ネットワークデバイスにより、信号構造に基づいて、アップリンク信号を受信するステップ、及び/又は信号構造に基づいて、アップリンク信号に応答するステップは、
ネットワークデバイスにより、第3のマッピング関係情報に基づいて、第2の信号及び第3の信号を決定するステップと、
ネットワークデバイスにより、第2の信号及び第3の信号に基づいて、第1のデータを受信するステップと、
ネットワークデバイスにより、応答メッセージを端末デバイスに送信するステップであり、応答メッセージは、第1のデータのフィードバック情報を含む、ステップと
を含む。
【００１７】
この出願のこの実施形態では、ネットワークデバイスは、第3のマッピング関係情報に基づいて、第2の信号を決定し、第2の信号を使用することにより第2のデータを受信できる。これは、ネットワークデバイスの複雑性を更に低減し、遅延を低減し、信頼性を改善する。
【００１８】
第2の態様によれば、データ伝送方法が提供され、
端末デバイスにより、アップリンク状態及びターゲットデータのタイプに基づいて、アップリンク信号の信号構造を決定するステップと、
端末デバイスにより、第1のマッピング関係情報及びアップリンク信号の信号構造に基づいて、アップリンク信号を送信するステップと
を含む。
【００１９】
この出願のこの実施形態におけるデータ伝送方法によれば、端末デバイスがデータを伝送すべきであるとき、端末デバイスは、データのタイプ及び同期状態に基づいて、アップリンク信号の信号構造を決定し、アップリンク伝送信号の構造に基づいて、アップリンクデータを伝送できる。これは、遅延及びシグナリングオーバーヘッドを効果的に低減できる。
【００２０】
いくつかの可能な設計では、アップリンク状態は、アップリンク同期外れ状態である。
【００２１】
さらに、いくつかの可能な設計では、ターゲットデータは空であり、
端末デバイスにより、アップリンク状態及びターゲットデータのタイプに基づいて、アップリンク信号の信号構造を決定するステップは、
端末デバイスにより、第1のマッピング関係情報に基づいて、アップリンク信号が第1の信号のみを含むと決定するステップを含む。
【００２２】
さらに、いくつかの可能な設計では、端末デバイスにより、第1のマッピング関係情報及びアップリンク信号の信号構造に基づいて、アップリンク信号を送信するステップの前に、当該方法は、
端末デバイスにより、第2のマッピング関係情報及び第1の信号に基づいて、第2の信号を決定するステップであり、第2のマッピング関係情報は、第2の信号と第1の信号との間の対応関係と、第1の信号と第3の信号、第1のデータの属性情報及び第2のデータの属性情報のうち少なくとも1つとの間の対応関係を含む、ステップを更に含む。
【００２３】
さらに、いくつかの可能な設計では、ターゲットデータはアプリケーション層データであり、
端末デバイスにより、アップリンク状態及びターゲットデータのタイプに基づいて、アップリンク信号の信号構造を決定するステップは、
端末デバイスにより、第1のマッピング関係情報及び第2のマッピング関係情報に基づいて、アップリンク信号が第1の信号、第2の信号、第3の信号及び第1のデータを含むと決定するステップを含む。
【００２４】
さらに、いくつかの可能な設計では、ターゲットデータは非アプリケーション層データであり、
端末デバイスにより、アップリンク状態及びターゲットデータのタイプに基づいて、アップリンク信号の信号構造を決定するステップは、
端末デバイスにより、第1のマッピング関係情報及び第2のマッピング関係情報に基づいて、アップリンク信号が第1の信号、第2の信号及び第2のデータを含むと決定するステップを含む。
【００２５】
いくつかの可能な設計では、アップリンク状態はアップリンク同期状態であり、ターゲットデータはアプリケーション層データであり、
端末デバイスにより、アップリンク状態及びターゲットデータのタイプに基づいて、アップリンク信号の信号構造を決定するステップは、
端末デバイスにより、第3のマッピング関係情報に基づいて、アップリンク信号が第2の信号、第3の信号及び第1のデータを含むと決定するステップを含む。
【００２６】
第3の態様によれば、ネットワークデバイスが提供され、
アップリンク信号内の第1の信号を検出するように構成された検出ユニットと、
第1の信号を検出した結果に基づいて、アップリンク信号の信号構造を決定するように構成された処理ユニットと、
信号構造に基づいて、アップリンク信号を受信するように、及び/又は信号構造に基づいて、アップリンク信号に応答するように構成された送受信ユニットと
を含む。
【００２７】
第3の態様におけるネットワークデバイスは、第1の態様における方法のネットワークデバイスにより実行されるデータ伝送方法を実現できる。
【００２８】
第4の態様によれば、ネットワークデバイスが提供され、
アップリンク信号内の第1の信号を検出し、第1の信号を検出した結果に基づいて、アップリンク信号の信号構造を決定するように構成されたプロセッサと、
信号構造に基づいて、アップリンク信号を受信するように、及び/又は信号構造に基づいて、アップリンク信号に応答するように構成された送受信機と
を含む。
【００２９】
第4の態様におけるネットワークデバイスは、第1の態様における方法のネットワークデバイスにより実行されるデータ伝送方法を実現できる。
【００３０】
第5の態様によれば、端末デバイスが提供され、
アップリンク状態及びターゲットデータのタイプに基づいて、アップリンク信号の信号構造を決定するように構成された処理ユニットと、
第1のマッピング関係情報及びアップリンク信号の信号構造に基づいて、アップリンク信号を送信するように構成された送受信ユニットと
を含む。
【００３１】
第5の態様における端末デバイスは、第2の態様における方法の端末デバイスにより実行されるデータ伝送方法を実現できる。
【００３２】
第6の態様によれば、端末デバイスが提供され、
アップリンク状態及びターゲットデータのタイプに基づいて、アップリンク信号の信号構造を決定するように構成されたプロセッサと、
第1のマッピング関係情報及びアップリンク信号の信号構造に基づいて、アップリンク信号を送信するように構成された送受信機と
を含む。
【００３３】
第6の態様における端末デバイスは、第2の態様における方法の端末デバイスにより実行されるデータ伝送方法を実現できる。
【００３４】
上記の態様を参照して、いくつかの可能な設計では、第3のマッピング関係情報は、第1のデータの属性情報と第2の信号と第3の信号との間の対応関係を含む。
【００３５】
上記の態様を参照して、いくつかの可能な設計では、第3のマッピング関係情報は、第1のデータの属性情報と第2の信号と第3の信号との間の対応関係を含む。
【００３６】
上記の態様を参照して、いくつかの可能な設計では、属性情報は、直交周波数分割多重OFDMシンボルのサイクリックプレフィックス長、OFDMシンボルリソース並びに変調及び符号化方式MCSのうち少なくとも1つを含む。
【００３７】
上記の態様を参照して、いくつかの可能な設計では、第1の信号は、端末デバイスとネットワークデバイスとの間のアップリンク同期に使用され、第3の信号は、端末デバイスとネットワークデバイスとの間のアップリンクチャネルを推定するために使用される。
【００３８】
上記の態様を参照して、いくつかの可能な設計では、応答メッセージは、第2のデータのフィードバック情報を更に含む。
【図面の簡単な説明】
【００３９】
【図１】この出願の実施形態によるシナリオの例の概略図である。
【図２】この出願の実施形態による、時間周波数リソース位置の概略ブロック図である。
【図３】この出願の実施形態に従って第1の信号を使用することにより、アップリンク信号の信号構造を示す概略ブロック図である。
【図４】この出願の実施形態に従って第1の信号を伝送するために使用されるリソースを使用することにより、アップリンク信号の信号構造を示す概略ブロック図である。
【図５】この出願の実施形態に従って第1の信号及び第1の信号を伝送するために使用されるリソースを使用することにより、アップリンク信号の信号構造を示す概略ブロック図である。
【図６】この出願の実施形態によるデータ伝送のためのネットワークデバイスの概略ブロック図である。
【図７】この出願の実施形態によるデータ伝送のためのネットワークデバイスの他の概略ブロック図である。
【図８】この出願の実施形態によるデータ伝送のための端末デバイスの概略ブロック図である。
【図９】この出願の実施形態によるデータ伝送のための端末デバイスの他の概略ブロック図である。
【発明を実施するための形態】
【００４０】
ランダムアクセスは、ユーザ装置(user  equipment,  UE)とネットワークとの間の無線リンクを確立するための必要なプロセスである。UEがランダムアクセス手順を通じて基地局(NodeB、  B)とアップリンク同期を実現した後にのみ、UEは、アップリンクデータを伝送するために基地局によりスケジュールできる。
【００４１】
現在では、異なるサービストリガ方式に基づいて、ランダムアクセスは、競合ベースのランダムアクセス(Contention  based  random  access  procedure)と非競合ベースのランダムアクセス(Non-Contention  based  random  access  procedure)とに分類され得る。
【００４２】
NodeBがUEのサービス又は状態を知らないが、UEがアップリンクリソース又は同期のためのアップリンクタイミングアドバンス(Time  Alignment,  TA)を申請する必要があるとき、UEは競合ベースのランダムアクセスを開始する必要がある。具体的な競合ベースのランダムアクセス手順は以下の通りである。UEは、ランダムに選択されたランダムアクセスプリアンブル(preamble)系列をNodeBに送信し、NodeBは、使用できるアップリンクリソースについての情報をUEに通知するために、ランダムアクセス応答メッセージをUEに送信し、ランダムアクセス応答を受信した後に、UEは、ランダムアクセス応答メッセージで指定されたアップリンクリソース上でスケジューリングメッセージを送信し、スケジューリングメッセージはUEの一意識別子についての情報を含み、要求を受信した後に、NodeBは、ランダムアクセス手順を完了するために、競合解決結果をUEに送信する。
【００４３】
例えば、UEは初期アクセスを実行する。この場合、無線リソース制御(Radio  Resource  Control,  RRC)層の状態は、無線リソース制御アイドル(RRC_IDLE)モードである。他の例では、UEは、無線リンクが切断されたときに再確立を実行する。更に他の例では、UEはアップリンクデータを送信すべきであるが、アップリンク同期が失われているか、或いはアップリンクスケジューリング要求(SR)リソースが存在しないことが見出される。更に他の例では、UEは、新たなダウンリンクデータを受信し、次いで、アップリンク上で肯定応答/否定応答(ACK/NACK)情報を送信する必要があるが、アップリンク同期が失われていることを見つける。この場合、NodeBはUEのサービス又は状態を知らないので、UEは、競合ベースのランダムアクセスを開始する必要がある。
【００４４】
非競合ベースのランダムアクセス方式では、NodeBは、使用されるべきpreamble系列及びリソースをUEに通知する。具体的な非競合ベースのランダムアクセス手順は以下の通りである。NodeBは、ランダムアクセスプリアンブル(preamble)系列の指示情報をUEに送信し、UEは、指定されたランダムアクセスプリアンブル系列をNodeBに送信し、NodeBは、ランダムアクセス手順を完了するために、ランダムアクセス応答をUEに送信する。
【００４５】
例えば、UEは、セルハンドオーバを実行する必要がある。他の例では、ダウンリンク同期は失われているが、送信されるべきダウンリンクデータが存在する。
【００４６】
端末デバイスがグラントフリー伝送方法を使用することによりアップリンクデータを伝送するとき、端末デバイス及びNodeBはアップリンク同期状態にある必要がある点に留意すべきである。言い換えると、端末デバイスがグラントフリー伝送方法を使用することによりアップリンクデータを伝送するとき、端末デバイスは、まずランダムアクセス手順を通じてNodeBとのアップリンク同期を実行する必要がある。具体的には、非競合ベースのランダムアクセス方法が使用される場合、データは、3ステップのランダムアクセス手順が実行された後にのみ送信でき、或いは競合ベースのランダムアクセス方法が使用される場合、データは、4ステップのランダムアクセス手順が実行された後にのみ送信できる。その結果、遅延及びシグナリングオーバーヘッドは過度に高い。
【００４７】
この出願の実施形態は、データ伝送方法を提供する。ランダムアクセス手順及びデータ伝送プロセス(グラントフリー伝送又は要求及び動的グラントベースの伝送)が統合され、それにより、同期状態、データ送信要求(データが送信される必要があるか否か)、及びチャネル状態のような情報に基づいて、端末は、送信のために複数のアップリンク送信信号構造から適切な信号構造を選択できる。
【００４８】
この出願の実施形態における技術的解決策は、様々な通信システム、例えば、グローバル・システム・フォー・モバイル・コミュニケーションズ(Global  System  of  Mobile  communication,  GSM)システム、符号分割多元接続(Code  Division  Multiple  Access,  CDMA)システム、広帯域符号分割多元接続(Wideband  Code  Division  Multiple  Access,  WCDMA)システム、汎用パケット無線サービス(General  Packet  Radio  Service,  GPRS)システム、5G通信システム、LTE周波数分割複信(Frequency  Division  Duplex,  FDD)システム、LTE時分割複信(Time  Division  Duplex,  TDD)システム及びユニバーサル・モバイル・テレコミュニケーションズ・システム(Universal  Mobile  Telecommunication  System,  UMTS)に適用できることが理解されるべきである。
【００４９】
この出願において、実施形態は、ネットワークデバイス及び端末デバイスを参照して記載される。端末デバイスは、ユーザ装置(User  Equipment,  UE)、アクセス端末、加入者ユニット、加入者局、移動局、移動コンソール、遠隔局、遠隔端末、移動デバイス、ユーザ端末、端末、無線通信デバイス、ユーザエージェント又はユーザ機器を含むが、これらに限定されない。端末デバイスは、無線アクセスネットワーク(Radio  Access  Network,  RAN)を使用することにより、1つ以上のコアネットワークと通信してもよい。例えば、端末デバイスは、携帯電話、コードレス電話機、セッションイニシエーションプロトコル(Session  Initiation  Protocol,  SIP)電話、無線ローカルループ(Wireless  Local  Loop,  WLL)局、パーソナルデジタルアシスタント(Personal  Digital  Assistant,  PDA)、無線通信機能を有するハンドヘルドデバイス、計算デバイス、無線モデムに接続された他の処理デバイス、車載デバイス、ウェアラブルデバイス、将来の5Gネットワークにおける端末デバイス、又は将来の進化したPLMNネットワークにおける端末デバイスでもよい。
【００５０】
ネットワークデバイスは、端末デバイスと通信するように構成されたデバイスでもよく、ネットワークデバイスは、基地局又は基地局の機能を有するネットワーク側デバイスを含んでもよい。例えば、ネットワークデバイスは、GSMシステム若しくはCDMAシステムにおける基地送受信局(Base  Transceiver  Station,  BTS)、WCDMAシステムにおけるノードB(NodeB,  NB)、LTEシステムにおける進化型ノードB(Evolved  Node  B、eNB又はeNodeB)、中継ノード若しくはアクセスポイント、車載デバイス若しくはウェアラブルデバイス、又は将来の5Gネットワークにおけるネットワークデバイスでもよい。
【００５１】
以下に、添付図面を参照して、この出願の実施形態における技術的解決策を説明する。
【００５２】
図１は、この出願の実施形態によるデータ伝送方法100の概略フローチャートである。図１に示すように、方法100は、以下のステップを含む。
【００５３】
S110.端末デバイスは、端末デバイスのアップリンク状態及びターゲットデータのタイプに基づいて、アップリンク信号の信号構造を決定する。
【００５４】
具体的には、端末デバイスは、端末デバイスの同期状態及び送信される必要があるデータの具体的なタイプに基づいて、アップリンクデータ伝送のために異なる信号構造を選択してもよい。第1の端末の同期状態は、アップリンク同期外れ状態又はアップリンク同期状態でもよい。
【００５５】
言い換えると、アップリンクデータを受信するときに、ネットワークデバイスは、アップリンク信号の信号構造に基づいて、アップリンクデータを検出及び受信し、データのフィードバック情報を送信する。
【００５６】
この出願のこの実施形態におけるアップリンク信号の信号構造は、アップリンクデータに含まれる信号のタイプを示すために使用されてもよいことが理解されるべきである。具体的には、端末デバイスがデータ又はデータのフィードバック情報をネットワークデバイスに送信する必要があるとき、端末デバイスは、アップリンク信号の決定された信号構造に基づいて、アップリンクデータを送信してもよく、ネットワークデバイスは、アップリンク信号の信号構造に基づいて、端末デバイスのアップリンクデータ内の信号の具体的なタイプを決定する。
【００５７】
この出願のこの実施形態におけるアップリンク状態は、アップリンク同期状態及びアップリンク同期外れ状態に分類されてもよいことも理解されるべきである。アップリンク同期状態及びアップリンク同期外れ状態の具体的な表現形式は、この出願のこの実施形態では制限されない。例えば、アップリンク同期外れ状態は、端末デバイスがアイドルモード(無線リソース制御接続が存在せず、基地局とのアップリンク同期が実現されていないことを意味する)にあることを意味してもよく、或いは端末デバイスが接続モードにあり、無線リソース制御接続を有するが、基地局とのアップリンク同期を失っていることを意味してもよい。
【００５８】
理解を容易にするために、以下に、この出願のこの実施形態において端末デバイスにより実行されるアップリンク伝送における信号及びデータを分類及び説明するための例を使用する。
【００５９】
第1の信号は、端末デバイスとネットワークデバイスとの間のアップリンク同期を実現するために使用される系列又は信号、例えば、LTEシステムにおけるランダムアクセスプリアンブル系列である。信号の検出状態に基づいて、ネットワークデバイスは、端末の同期パラメータ、例えば、タイミングアドバンス(Timing  Advance,  TA)を決定してもよい。
【００６０】
第2の信号は、データに対応する端末デバイスを決定するために、データを受信するときにネットワークデバイスにより使用される。すなわち、端末は、端末がアップリンクデータを送信したか否かを決定するために、当該信号を検出する。例えば、第2の信号は、識別信号又は端末デバイスの系列である。
【００６１】
第3の信号は、端末デバイスとネットワークデバイスとの間のアップリンクチャネルを推定するためにネットワークデバイスにより使用される系列、例えば、LTEにおけるパイロット(Pilot)系列又は復調参照信号(De-Modulation  Reference  Signal,  DMRS)である。ネットワークデバイスは、端末により送信されたデータを復調するために、チャネル推定を実行してもよい。
【００６２】
第1のデータは、第3の信号、例えば、アプリケーション層データパケット、端末のバッファ状態報告、スケジューリング要求又は端末デバイスの識別(例えば、ID)情報を使用することにより、ネットワークデバイスがチャネル推定を実行した後にのみ、ネットワークデバイスにより復調及び受信できるペイロード(Payload)である。
【００６３】
第2のデータは、第3の信号、例えば、スケジューリング要求の機能を実現するために使用される信号又は系列を使用することにより、チャネル推定を実行することなくネットワークデバイスにより受信できる信号又は系列である。
【００６４】
この出願のこの実施形態における第1の信号、第2の信号、第3の信号、第1のデータ及び第2のデータは、上記の機能を実施するために使用される信号又は系列でもよく、或いは他の機能を実施するために使用される信号又は系列でもよいことが理解されるべきである。この出願のこの実施形態の保護範囲は、主に信号とデータとの間の論理関係にをカバーするものであり、信号及びデータの具体的な機能は、この出願のこの実施形態では限定されない。
【００６５】
第1の信号、第2の信号、第3の信号及び第2のデータのうち少なくとも2つは、この出願のこの実施形態において同じ系列又は同じ信号であることも理解されるべきである。言い換えると、端末デバイスは、上記の第1の信号、第2の信号、第3の信号及び第2のデータのうち少なくとも2つの機能を実現するために、1つの信号又は系列のみをネットワークデバイスに送信してもよい。信号の数及び信号の具体的な表現形式は、この出願のこの実施形態において限定されない。
【００６６】
例えば、第2の信号及び第3の信号は、同じパイロット系列でもよい。
【００６７】
この出願のこの実施形態におけるデータ伝送方法によれば、端末デバイスがデータを伝送すべきであるとき、端末デバイスは、データのタイプ及び同期状態に基づいて、アップリンク信号の信号構造を決定し、アップリンク伝送信号の構造に基づいて、アップリンクデータを伝送できる。これは、遅延及びシグナリングオーバーヘッドを効果的に低減できる。
【００６８】
以下に、第1の信号、第2の信号、第3の信号、第1のデータ及び第2のデータを例として使用することにより、この出願の実施形態におけるアップリンク信号の信号構造を詳細に説明する。具体的には、信号構造は、以下の4つのタイプに分類されてもよい。
【００６９】
信号構造1は、第1の信号であり、端末とネットワークデバイスとの間のアップリンク同期のみを実現するために使用される。
【００７０】
信号構造2は、第1の信号、第2の信号、第3の信号及び第1のデータを含み、端末とネットワークデバイスとの間のアップリンク同期を実現し、第1のデータを送信するために使用される。
【００７１】
信号構造3は、第1の信号、第2の信号及び第2のデータを含み、端末とネットワークデバイスとの間のアップリンク同期を実現し、第2のデータを送信するために使用される。
【００７２】
信号構造4は、第2の信号、第3の信号及び第1のデータを含み、第1のデータを送信するために使用される。
【００７３】
図２は、この出願の実施形態に従って信号及び/又はデータを送信するために使用される時間周波数リソースの概略ブロック図である。
【００７４】
図２に示すように、この出願のこの実施形態において、信号及び/又はデータを送信するために使用される時間周波数リソースは、同じでもよく或いは異なってもよく、時間領域において連続でもよく或いは不連続でもよく、周波数領域において連続でもよく或いは不連続でもよく、或いは時間領域及び周波数領域の双方において連続でもよく或いは不連続でもよい。B1及びB2は、異なる周波数領域リソースを示すために使用され、T1及びT2は、異なる時間領域リソースを示すために使用される。
【００７５】
例えば、信号構造1において、第1の信号を送信するために使用される時間周波数リソースは、第2の信号及び/又は第3の信号を送信するために使用される時間周波数リソースと同じでもよく或いは異なってもよく、時間領域において連続でもよく或いは不連続でもよく、周波数領域において連続でもよく或いは不連続でもよく、或いは時間領域及び周波数領域の双方において連続でもよく或いは不連続でもよい。
【００７６】
他の例として、信号構造2において、第1の信号を送信するために使用される時間周波数リソース及び第1のデータを送信するために使用される時間周波数リソースは、時間領域において連続でもよく或いは不連続でもよく、周波数領域において連続でもよく或いは不連続でもよく、或いは時間領域及び周波数領域の双方において連続でもよく或いは不連続でもよい。
【００７７】
更に他の例として、信号構造3において、第1の信号を送信するために使用される時間周波数リソース及び第2のデータを送信するために使用される時間周波数リソースは、時間領域において連続でもよく或いは不連続でもよく、周波数領域において連続でもよく或いは不連続でもよく、或いは時間領域及び周波数領域の双方において連続でもよく或いは不連続でもよい。
【００７８】
更に他の例として、信号構造4において、第2の信号を送信するために使用される時間周波数リソース及び第1のデータを送信するために使用される時間周波数リソースは、時間領域において連続でもよく或いは不連続でもよく、周波数領域において連続でもよく或いは不連続でもよく、或いは時間領域及び周波数領域の双方において連続でもよく或いは不連続でもよい。
【００７９】
任意選択で、この出願のこの実施形態では、第2の信号は、第1のデータのために構成されたものと同じ時間周波数リソースで構成されてもよい。すなわち、第2の信号は、第1のデータのための時間周波数リソース上で送信されるように、第1のデータのための時間周波数リソースに結び付けられる。代替として、この出願のこの実施形態における第2の信号は、他の信号又は他のデータのための時間周波数リソース上で送信されるように、他の信号又は他のデータ、例えば、第3の信号、第1の信号又は第2のデータのための時間周波数リソースに結び付けられてもよいことが理解されるべきである。
【００８０】
S110において、端末デバイスは、同期状態及びデータのタイプに基づいて、具体的なアップリンク伝送信号構造を決定してもよい。
【００８１】
例えば、端末デバイスが同期外れ状態にあり、データのタイプが第1のデータである場合、アップリンク伝送信号の構造は、信号構造1又は信号構造2でもよい。
【００８２】
他の例では、端末デバイスが同期外れ状態にあり、データのタイプが第2のデータである場合、アップリンク伝送信号の構造は、信号構造1又は信号構造3でもよい。
【００８３】
更に他の例では、端末デバイスが同期状態にあり、データのタイプが第1のデータである場合、アップリンク伝送信号の構造は、信号構造4でもよい。
【００８４】
更に他の例では、端末デバイスが同期状態にあり、データのタイプが第1のデータでない場合、信号構造は送信されない。
【００８５】
任意選択で、端末デバイスは、タイマがタイムアウトするか否かに基づいて、同期状態を決定してもよく、或いはネットワークデバイスは、同期パラメータが新たに取得される必要があることを端末デバイスに通知してもよい。これは、この出願のこの実施形態において具体的に限定されない。
【００８６】
当該方法の実施形態100におけるS120、S130及びS140を参照して、以下に、上記の4つの信号構造のための端末デバイスとネットワークデバイスとの間のアップリンク伝送の具体的な実現方式を詳細に説明する。
【００８７】
S120.端末デバイスは、アップリンク信号をネットワークデバイスに送信する。
【００８８】
S130.ネットワークデバイスは、アップリンク信号内の第1の信号を検出する。
【００８９】
S140.ネットワークデバイスは、第1の信号を検出した結果に基づいて、アップリンク信号を受信し、及び/又は第1の信号を検出した結果に基づいて、アップリンク信号に応答する。
【００９０】
実施形態では、アップリンク信号の信号構造が信号構造1であると端末デバイスが決定した場合、端末デバイスは、アップリンク同期を実行しさえすればよい。
【００９１】
具体的には、端末デバイスは、第1のマッピング関係情報及び信号構造1に基づいて、第1の信号の機能を実現するために使用される複数の信号から信号構造1に対応する第1の信号を決定し、第1の信号をネットワークデバイスに送信し、すなわち、端末デバイスにより送信されるアップリンクデータは、第1の信号のみを含む。言い換えると、ネットワークデバイスが第1の信号を受信した後に、第1の信号は、第1の信号に対応する具体的なアップリンク伝送信号構造をネットワークデバイスに暗示的に通知するために使用されてもよい。
【００９２】
ネットワークデバイスは、検出された第1の信号及び第1のマッピング関係に基づいて、第1の信号に対応するアップリンク信号の信号構造が信号構造1であり、すなわち、アップリンクデータが第1の信号のみを含むと決定してもよい。この場合、ネットワークデバイスは、端末デバイスにより送信された第1の信号に基づいて、同期パラメータを決定し、応答情報を端末デバイスに送信し、応答情報は同期パラメータを含む。
【００９３】
任意選択で、応答情報は、次の伝送のために端末デバイスにより使用されるべきグラント情報、例えば、時間周波数リソース並びに変調及び符号化方式を更に含む。
【００９４】
第1の信号を見つけるとき、ネットワークデバイスは、実際には第1の信号を送信する具体的な端末を知る必要はない点に留意すべきである。ネットワークデバイスは、見つかった第1の信号に基づいて、第1の信号に対応するTAを決定し、次いで、TAを配信しさえすればよい。配信される内容は、見つかった第1の信号を識別できる情報(index等)と、第1の信号に対応するTAとの2つの部分を含む。端末側は、実際に複数のTAを受信してもよく、各TAは、1つの第1の信号に対応する。端末は、端末により送信される第1の信号に対応するTAを見つけさえすればよい。
【００９５】
この出願のこの実施形態では、端末デバイスの間の第1の信号の衝突を回避するために、任意選択で、ネットワークデバイスは、各端末デバイスのために1つの第1の信号を構成する。
【００９６】
任意選択で、第1のマッピング関係情報は、第1の信号とアップリンク信号の信号構造との間の対応関係、及び/又は第1の信号を伝送するために使用されるリソースとアップリンク信号の信号構造との間の対応関係を含む。
【００９７】
以下に、図３〜図５を参照して、この出願のこの実施形態における第1のマッピング関係を詳細に説明する。
【００９８】
実施形態では、端末デバイスは、第1の信号を使用することにより、アップリンク信号の信号構造を暗示的に示す。
【００９９】
具体的には、ネットワークデバイスは、第1の信号の機能を実現するために使用される系列を、第1のタイプ、第2のタイプ及び第3のタイプの少なくとも3つのタイプに分類する。各タイプは、少なくとも1つの系列を含む。ネットワークデバイスは、分類を通じて取得されたタイプと信号構造との間のマッピング関係を予め確立する。
【０１００】
図３は、この出願の実施形態による、第1の信号とアップリンク伝送信号の構造との間のマッピング関係を示す。
【０１０１】
具体的には、図３に示すように、第1のタイプの第1の信号1は信号構造1に対応し、第2のタイプの第1の信号2は信号構造2に対応し、第3のタイプの第1の信号3は信号構造3に対応し、信号構造4は第1の信号が存在しないときに使用される。
【０１０２】
具体的には、端末デバイスが信号構造1を選択した場合、端末デバイスは、信号構造1に基づいて、対応するタイプが第1のタイプであると決定し、ルールに従って、例えば、ランダム選択方式又は他の方式で、第1のタイプの系列から1つの系列を第1の信号として選択し、第1の信号をネットワークデバイスに送信する。ネットワークデバイスは、第1の信号を検出する。系列が第1のタイプに属することを見つけた場合、ネットワークデバイスは、所定のマッピング関係に基づいて、端末デバイスのアップリンク信号の信号構造が信号構造1であると決定してもよい。言い換えると、第1の信号のみが含まれる。
【０１０３】
実施形態では、端末デバイスは、第1の信号を伝送するために使用される第1のリソースを使用することにより、アップリンク信号の信号構造を暗示的に示す。
【０１０４】
具体的には、端末デバイスは、選択された第1の信号を異なる時間周波数リソースにマッピングすることにより、アップリンク信号の信号構造を暗示的に示す。任意選択で、ネットワークデバイスは、第1の信号を送信するために使用される時間周波数リソースの位置を分類し、時間周波数リソース位置と信号構造との間の対応関係を確立する。例えば、ネットワークデバイスは、第1の信号を送信するために使用される時間周波数リソースの位置を、第1のタイプ、第2のタイプ及び第3のタイプの少なくとも3つのタイプに分類し、時間周波数リソースの3つのタイプの位置は、部分的に重複するか、或いは全く重複せず、分類を通じて取得されたタイプと信号構造との間のマッピング関係を確立する。
【０１０５】
図４は、この出願の実施形態による、第1の信号を伝送するために使用されるリソースとアップリンク伝送信号の構造との間のマッピング関係を示す。
【０１０６】
具体的には、図４に示すように、第1のタイプにおいて第1の信号1を伝送するために使用される時間周波数リソース1は信号構造1に対応し、第2のタイプにおいて第1の信号1を伝送するために使用される時間周波数リソース2は信号構造2に対応し、第3のタイプにおいて第1の信号1を伝送するために使用される時間周波数リソース3は信号構造3に対応する。
【０１０７】
具体的には、信号構造1を送信するために選択する場合、第1の端末は、第1のタイプの時間周波数リソース位置で第1の信号を送信する。ネットワークデバイスは、可能な時間周波数リソース位置で、端末デバイスにより送信された第1の信号を検出する。端末デバイスが第1のタイプの時間周波数リソース上で第1の信号を送信したことを見つけた場合、ネットワークデバイスは、所定のマッピング関係に基づいて、端末デバイスのアップリンク信号の信号構造が信号構造1であると決定してもよい。言い換えると、第1の信号のみが含まれる。
【０１０８】
この出願のこの実施形態では、端末デバイスは、第1の信号を、信号構造1、信号構造2及び信号構造3をそれぞれ示すために使用される3つのタイプに分類してもよく、或いは第1の信号とアップリンク信号の信号構造との間に1対1の対応関係を確立してもよいことが理解されるべきである。これは、この出願のこの実施形態において具体的に限定されない。
【０１０９】
実施形態では、図５に示すように、端末デバイスは、代替として、第1の信号及び第1の信号を伝送するために使用されるリソースを使用することにより、アップリンク信号の信号構造を示してもよい。
【０１１０】
具体的には、図５に示すように、第1の信号1を伝送するために使用される時間周波数リソース1は信号構造1に対応し、第1の信号1を伝送するために使用される時間周波数リソース2は信号構造2に対応し、第1の信号2を伝送するために使用される時間周波数リソース2は信号構造3に対応する。
【０１１１】
この出願のこの実施形態におけるデータ伝送方法によれば、データを復調する前に、ネットワークデバイスは、端末デバイスにより使用されるアップリンク信号の信号構造を決定し、次いで、対応する受信方法を使用できる。これは、eMBBスモールパケットシナリオ、mMTCシナリオ及びURLLCシナリオにおける低遅延及び過度に高いシグナリングオーバーヘッドの問題を解決する。
【０１１２】
他の実施形態では、アップリンク信号の信号構造が信号構造2であると端末デバイスが決定した場合、端末デバイスは、アップリンク同期を実行し、第1のデータを送信する必要がある。
【０１１３】
具体的には、端末デバイスは、第1のマッピング関係情報及び信号構造2に基づいて、信号構造2に対応する第1の信号を決定し、第2のマッピング関係及び第1の信号に基づいて、第2の信号及び第3の信号を決定し、アップリンクデータをネットワークデバイスに送信し、アップリンクデータは、第1の信号、第2の信号、第3の信号及び第1のデータを含む。
【０１１４】
具体的には、第1の信号を見つけた後に、ネットワークデバイスは、第1の信号及び第1のマッピング関係情報に基づいて、第1の信号に対応するアップリンク信号の信号構造が信号構造2であると決定でき、すなわち、第1の信号に対応するアップリンクデータが第1の信号、第2の信号、第3の信号及び第1のデータを具体的に含むと決定できる。この場合、ネットワークデバイスは、第2のマッピング関係情報及び第1の信号に基づいて、第1の信号に対応する第2の信号及び第3の信号を決定し、第2の信号及び第3の信号に基づいて、第1のデータを復調及び受信する。
【０１１５】
ネットワークデバイスは、第1の信号に基づいて、同期パラメータを決定し、応答情報を端末デバイスに送信する。応答情報は、同期パラメータ及び第1のデータを受信した結果のフィードバック情報、例えば、第1のデータが正しく受信されたか或いは誤って受信されたことを示す情報を含む。任意選択で、応答情報は、次の伝送のために端末デバイスにより使用されるべきグラント情報、例えば、時間周波数リソース並びに変調及び符号化方式を更に含む。
【０１１６】
任意選択で、第2のマッピング関係情報は、第2の信号と第1の信号との間の対応関係と、第1の信号と第3の信号、第1のデータの属性情報及び第2のデータの属性情報とのうち少なくとも1つとの間の対応関係とを含み、第2の信号は、端末デバイスを識別するために使用される。
【０１１７】
任意選択で、属性情報は、直交周波数分割多重OFDMシンボルのサイクリックプレフィックス長、OFDMシンボルリソース並びに変調及び符号化方式MCSのうち少なくとも1つを含んでもよい。
【０１１８】
この出願のこの実施形態における属性情報は、代替として、信号/データを送信するための電力、例えば、第2のデータのための電力又は第2の情報のための電力でもよいことが理解されるべきである。これは、この出願のこの実施形態において具体的に限定されない。
【０１１９】
この出願のこの実施形態では、同期外れ状態での信号及びデータの受信を確保するために、任意選択で、比較的長いサイクリックプレフィックスが、第2の信号、第3の信号、第2のデータ及び/又は第1のデータを送信するために使用されてもよい。
【０１２０】
この出願のこの実施形態では、データを受信した後に、ネットワークデバイスは、データを送信する端末を知る必要がある。第2のマッピング関係は、この出願のこの実施形態において、第2の信号及び/又は第3の信号を決定するために確立されてもよい。しかし、これは、この出願のこの実施形態において限定されない。
【０１２１】
例えば、端末デバイスは、端末デバイスの一意識別子のような識別情報をデータにパッケージ化し、ネットワークデバイスへのデータの一部として識別情報を送信してもよい。このように、データを正しく受信した後に、ネットワークデバイスは、データが到来する端末デバイスを知ることができる。
【０１２２】
この出願のこの実施形態では、ネットワークデバイスは、第2のマッピング関係情報に基づいて、第2の信号及び第3の信号を決定し、第2の信号及び第3の信号を使用することにより第1のデータを受信できる。これは、ネットワークデバイスの複雑性を効果的に低減し、遅延を低減し、信頼性を改善する。
【０１２３】
他の実施形態では、アップリンク信号の信号構造が信号構造3であると端末デバイスが決定した場合、すなわち、端末デバイスがアップリンク同期外れ状態にある場合、端末デバイスは、第2のデータをネットワークデバイスに送信しさえすればよい。
【０１２４】
具体的には、端末デバイスは、第1のマッピング関係情報及び信号構造3に基づいて、信号構造3に対応する第1の信号を決定し、第2のマッピング関係及び第1の信号に基づいて、第2の信号を決定し、アップリンクデータをネットワークデバイスに送信し、アップリンクデータは、第1の信号、第2の信号及び第2のデータを含む。
【０１２５】
具体的には、第1の信号を見つけた後に、ネットワークデバイスは、第1の信号及び第1のマッピング関係情報に基づいて、第1の信号に対応するアップリンク信号の信号構造が信号構造3であると決定でき、すなわち、第1の信号に対応するアップリンクデータが第1の信号、第2の信号及び第2のデータを具体的に含むと決定できる。この場合、ネットワークデバイスは、第2のマッピング関係情報及び第1の信号に基づいて、第1の信号に対応する第2の信号を決定し、第2の信号に基づいて、第2のデータを受信する。
【０１２６】
ネットワークデバイスは、第1の信号に基づいて、同期パラメータを決定し、応答情報を端末デバイスに送信し、応答情報は同期パラメータを含む。任意選択で、応答情報は、次の伝送のために端末デバイスにより使用されるべきグラント情報、例えば、時間周波数リソース並びに変調及び符号化方式を更に含む。
【０１２７】
任意選択で、応答メッセージは、第2のデータのフィードバック情報を更に含んでもよい。例えば、第2のデータは、スケジューリング要求系列又は信号であり、応答メッセージは、スケジューリング要求系列又は信号のフィードバック情報を更に含む。
【０１２８】
この出願のこの実施形態では、ネットワークデバイスは、第2のマッピング関係情報に基づいて、第2の信号を決定し、第2の信号を使用することにより第2のデータを受信できる。これは、ネットワークデバイスの複雑性を効果的に低減し、遅延を低減し、信頼性を改善する。
【０１２９】
他の実施形態では、アップリンク信号の信号構造が信号構造4であると端末デバイスが決定した場合、すなわち、端末デバイスがアップリンク接続状態にある場合、端末デバイスは、第1のデータをネットワークデバイスに送信しさえすればよい。
【０１３０】
具体的には、端末デバイスは、第1のマッピング関係情報及び信号構造4に基づいて、信号構造4が第1の信号を含まないと決定し、第2のマッピング関係及び第1の信号に基づいて、第2の信号を決定し、アップリンクデータをネットワークデバイスに送信し、アップリンクデータは、第2の信号、第3の信号及び第1のデータを含む。
【０１３１】
具体的には、第1の信号を見つけなかった後に、ネットワークデバイスは、第1の信号及び第1のマッピング関係情報に基づいて、アップリンク信号の信号構造が信号構造4であると決定でき、すなわち、アップリンクデータが第2の信号、第3の信号及び第2のデータを具体的に含むと決定できる。この場合、ネットワークデバイスは、第3のマッピング関係情報に基づいて、第2の信号及び第3の信号を決定し、第2の信号及び第3の信号に基づいて、第1のデータを受信する。
【０１３２】
ネットワークデバイスは、応答情報を端末デバイスに送信する。応答情報は、第1のデータを受信した結果、例えば、第1のデータが正しく受信されたか或いは誤って受信された結果を含む。任意選択で、応答情報は、さらに、次の伝送のために端末デバイスにより使用されるべきグラント情報、例えば、時間周波数リソース並びに変調及び符号化方式を含む。
【０１３３】
任意選択で、第3のマッピング関係情報は、第1のデータの属性情報と第2の信号と第3の信号との間の対応関係を含む。
【０１３４】
この出願のこの実施形態では、ネットワークデバイスは、第3のマッピング関係情報に基づいて、第2の信号を決定し、第2の信号を使用することにより第2のデータを受信できる。これは、ネットワークデバイスの複雑性を効果的に低減し、遅延を低減し、信頼性を改善する。
【０１３５】
この出願のこの実施形態では、端末デバイスは、第1の信号及び第1のマッピング関係情報に基づいて、アップリンク信号の信号構造を決定でき、また、アップリンクデータ内の信号と第1の信号との間に第2のマッピング関係情報も存在する。
【０１３６】
言い換えると、ネットワークデバイスは、検出された第1の信号及び第1のマッピング関係情報に基づいて、第1の信号に対応するアップリンク信号の信号構造を決定でき、第2のマッピング関係情報に基づいて、データを受信するために使用される第2の信号及び/又は第3の信号を決定できる。
【０１３７】
この出願のこの実施形態では、ネットワークデバイスは、第1のマッピング関係情報に基づいて、アップリンク送信信号の構造が信号構造4であると決定し、信号構造4に基づいて、第1のデータを受信できる。これは、ネットワークデバイスの複雑性を効果的に低減し、遅延を低減し、信頼性を改善する。
【０１３８】
この出願のこの実施形態におけるデータ伝送方法によれば、ネットワークデバイスは、ブラインド検出なしにアップリンクデータを受信でき、それにより、処理手順が簡略化される点に留意すべきである。これは、データ処理効率を効果的に改善し、遅延を低減できる。
【０１３９】
具体的には、第2の信号及び第2の信号が同じパイロット系列である場合、ネットワークデバイスは、1つのパイロットを各端末に予め割り当て、端末デバイスは、異なるパイロットに対応する。ネットワークデバイスは、3つのpreamble(P_i1、P_i2及びP_i3)を端末デバイスに割り当て、3つのpreambleはそれぞれ信号構造1、信号構造2及び信号構造3に対応する。端末デバイスの数がN = 5と仮定する。端末デバイス1のアップリンク信号の信号構造が信号構造1であるとき、端末デバイス2のアップリンク信号の信号構造は信号構造2であり、端末デバイス3のアップリンク信号の信号構造は信号構造3であり、端末デバイス4のアップリンク信号の信号構造は信号構造4であり、端末デバイス5は送信を実行しない。
【０１４０】
P_11を見つけた場合、ネットワークデバイスは、端末デバイス1のアップリンク信号の信号構造が信号構造1であると決定し、R_1をもはや検出しない。P_22を見つけた場合、ネットワークデバイスは、端末デバイス2のアップリンク信号の信号構造が信号構造2であると決定し、長いサイクリックプレフィックスを使用することによりR_2を検出し、チャネル推定を実行し、第1のデータを受信する。P_33を見つけた場合、ネットワークデバイスは、端末デバイス3のアップリンク信号の信号構造が信号構造3であると決定し、長いサイクリックプレフィックスを使用することによりR_3を検出し、短いサイクリックプレフィックスを使用することによりR_4及びR_5を検出し、対応するチャネル推定を実行し、第1のデータを受信する。
【０１４１】
この出願のこの実施形態において第1のマッピング関係情報が確立されない場合、ネットワークデバイスは、グラントフリー伝送中にブラインド検出を通じてデータを受信する。具体的には、ネットワークデバイスは、まずN個のpreambleを使用することによりN個のTAを時間周波数リソース上で検出し、次いでN個のパイロット系列を使用することによりN個の端末デバイスを検出することを試みる必要がある。さらに、ネットワークデバイスは、preambleとは異なる他の信号及び他のデータを送信するために端末デバイスにより使用されるサイクリックプレフィックスを知らず、その結果、検出及び受信に失敗する。
【０１４２】
これに対して、この出願のこの実施形態におけるデータ伝送方法によれば、データを受信する前に、ネットワークデバイスは、端末により送信された具体的な信号構造を決定し、次いで、対応する受信方法を使用できる。これは、基地局により実行される完全なブラインド検出により引き起こされる複雑性及び信頼性リスクを回避し、eMBBスモールパケットシナリオ、mMTCシナリオ及びURLLCシナリオにおいて、低遅延及び低シグナリングオーバーヘッドでの伝送を実現する。
【０１４３】
したがって、この出願のこの実施形態における第1のマッピング関係情報に基づいて、ネットワークデバイスは、ブラインド検出なしにアップリンクデータを受信でき、それにより、処理手順が簡略化される。これは、データ処理効率を効果的に改善し、遅延を低減することができる。
【０１４４】
この出願のこの実施形態では、第1の信号を検出する前に、ネットワークデバイスは、第1のマッピング関係情報、第2のマッピング関係情報及び第3のマッピング関係情報のうち少なくとも1つを端末デバイスに送信してもよい。
【０１４５】
以下に、図６及び図９を参照して、この出願の実施形態におけるネットワークデバイス及び端末デバイスについて説明する。
【０１４６】
図６は、この出願の実施形態によるデータ伝送のためのネットワークデバイスの概略ブロック図である。図６に示すように、この出願のこの実施形態におけるネットワークデバイスは、
アップリンク信号内の第1の信号を検出するように構成された検出ユニット210と、
第1の信号を検出した結果に基づいて、アップリンク信号の信号構造を決定するように構成された処理ユニット220と、
信号構造に基づいて、アップリンク信号を受信するように、及び/又は信号構造に基づいて、アップリンク信号に応答するように構成された送受信ユニット230と
を含む。
【０１４７】
任意選択で、ネットワークデバイスが第1の信号を見つけた場合、処理ユニット2200は、第1のマッピング関係情報及び第1の信号に基づいて、信号構造を決定するように具体的に構成される。
【０１４８】
第1のマッピング関係情報は、第1の信号と信号構造との間の対応関係、及び/又は第1の信号を伝送するために使用されるリソースと信号構造との間の対応関係を含む。
【０１４９】
任意選択で、処理ユニット220は、第1のマッピング関係情報及び第1の信号に基づいて、アップリンク信号が第1の信号のみを含むと決定するように具体的に構成される。
【０１５０】
送受信ユニット230は、応答メッセージを送信するように具体的に構成され、応答メッセージは、第1の信号のフィードバック情報を含む。
【０１５１】
任意選択で、処理ユニット220は、第2のマッピング関係情報及び第1の信号に基づいて、端末デバイスを決定するように具体的に構成される。
【０１５２】
第2のマッピング関係情報は、第2の信号と第1の信号との間の対応関係と、第1の信号と第3の信号、第1のデータの属性情報及び第2のデータの属性情報のうち少なくとも1つとの間の対応関係とを含み、第2の信号は、端末デバイスを識別するために使用される。
【０１５３】
任意選択で、処理ユニット220は、第1のマッピング関係情報、第2のマッピング関係情報及び第1の信号に基づいて、アップリンク信号が第1の信号、第2の信号、第3の信号及び第1のデータを含むと決定するように具体的に構成される。
【０１５４】
送受信ユニット230は、第2のマッピング関係情報及び第1の信号に基づいて、第3の信号及び第1のデータの属性情報を決定し、第2の信号、第3の信号及び第1のデータの属性情報に基づいて、第1のデータを受信し、応答メッセージを端末デバイスに送信するように具体的に構成され、応答メッセージは、第1の信号のフィードバック情報及び第1のデータのフィードバック情報を含む。
【０１５５】
任意選択で、処理ユニット220は、第1のマッピング関係情報、第2のマッピング関係情報及び第1の信号に基づいて、アップリンク信号が第1の信号、第2の信号及び第2のデータを含むと決定するように具体的に構成される。
【０１５６】
送受信ユニット230は、第2の信号に基づいて、第2のデータを受信し、応答メッセージを送信するように具体的に構成され、応答メッセージは、第1の信号のフィードバック情報を含む。
【０１５７】
任意選択で、処理ユニット220は、検出ユニット210が第1の信号を見つけなかった場合、第3のマッピング関係情報に基づいて、アップリンク信号が第2の信号、第3の信号及び第1のデータを含むと決定するように具体的に構成される。
【０１５８】
送受信ユニット230は、第2の信号及び第3の信号に基づいて、第1のデータを受信し、応答メッセージを端末デバイスに送信するように具体的に構成され、応答メッセージは、第1のデータのフィードバック情報を含む。
【０１５９】
任意選択で、第3のマッピング関係情報は、第1のデータの属性情報と第2の信号と第3の信号との間の対応関係を含む。
【０１６０】
任意選択で、属性情報は、直交周波数分割多重OFDMシンボルのサイクリックプレフィックス長、OFDMシンボルリソース並びに変調及び符号化方式MCSのうち少なくとも1つを含む。
【０１６１】
任意選択で、応答メッセージは、端末デバイスのアップリンクグラント情報を更に含む。
【０１６２】
任意選択で、第1の信号は、端末デバイスとネットワークデバイスとの間のアップリンク同期に使用され、第2の信号は、端末デバイスを識別するために使用され、第3の信号は、端末デバイスとネットワークデバイスとの間のアップリンクチャネルを推定するために使用され、第1のデータはアプリケーション層データであり、第2のデータは非アプリケーション層データである。
【０１６３】
任意選択で、第1の信号、第2の信号、第3の信号及び第2のデータのうち少なくとも2つは、同じ系列又は同じ信号である。
【０１６４】
任意選択で、検出ユニット210が第1の信号を検出する前に、送受信ユニット230は、第1のマッピング関係情報、第2のマッピング関係情報及び第3のマッピング関係情報のうち少なくとも1つを端末デバイスに送信するように更に構成される。
【０１６５】
この出願のこの実施形態におけるネットワークデバイス200は、この出願の方法の実施形態におけるネットワークデバイスに対応してもよいことが理解されるべきである。さらに、ネットワークデバイス200内のモジュール及び他のモジュールの動作及び/又は機能は、方法100の対応する手順を実現することを意図する。簡潔にするために、詳細はここでは再び説明しない。
【０１６６】
この出願のこの実施形態において、検出ユニット210及び処理ユニット220は、プロセッサにより実現されてもよく、送受信ユニット230は、送受信機により実現されてもよい点に留意すべきである。図７に示すように、ネットワークデバイス300は、プロセッサ310と、送受信機320と、メモリ330とを含んでもよい。メモリ330は、指示情報を記憶するように構成されてもよく、プロセッサ310により実行されるべきコード、命令等を記憶するように更に構成されてもよい。
【０１６７】
ネットワークデバイス300のコンポーネントは、バスシステムを使用することにより接続される。データバスに加えて、バスシステムは、電力バス、制御バス及び状態信号バスを含む。
【０１６８】
図７に示すネットワークデバイス300又は図６に示すネットワークデバイス200は、図１における方法の実施形態においてネットワークデバイスにより実現されるプロセスを実現できる。繰り返しを回避するために、詳細はここでは再び説明しない。
【０１６９】
図８は、この出願の実施形態によるデータ伝送のための端末デバイス400の概略ブロック図である。図８に示すように、この出願のこの実施形態における端末デバイス400は、
アップリンク状態及びターゲットデータのタイプに基づいて、アップリンク信号の信号構造を決定するように構成された処理ユニット410と、
第1のマッピング関係情報及びアップリンク信号の信号構造に基づいて、アップリンク信号を送信するように構成された送受信ユニット420と
を含む。
【０１７０】
任意選択で、第1のマッピング関係情報は、第1の信号とアップリンク信号の信号構造との間の対応関係、及び/又は第1の信号を伝送するために使用されるリソースとアップリンク信号の信号構造との間の対応関係を含む。
【０１７１】
任意選択で、アップリンク状態は、アップリンク同期外れ状態である。
【０１７２】
任意選択で、ターゲットデータは空であり、処理ユニット410は、第1のマッピング関係情報に基づいて、アップリンク信号が第1の信号のみを含むと決定するように具体的に構成される。
【０１７３】
任意選択で、送受信ユニットが、第1のマッピング関係情報及びアップリンク信号の信号構造に基づいて、アップリンク信号を送信する前に、処理ユニット410は、第2のマッピング関係情報及び第1の信号に基づいて、第2の信号を決定するように更に構成され、第2のマッピング関係情報は、第2の信号と第1の信号との間の対応関係と、第1の信号と第3の信号、第1のデータの属性情報及び第2のデータの属性情報のうち少なくとも1つとの間の対応関係を含み、第2の信号は、端末デバイスを識別するために使用される。
【０１７４】
任意選択で、ターゲットデータはアプリケーション層データであり、処理ユニット410は、第1のマッピング関係情報及び第2のマッピング関係情報に基づいて、アップリンク信号が第1の信号、第2の信号、第3の信号及び第1のデータを含むと決定するように具体的に構成される。
【０１７５】
任意選択で、ターゲットデータは非アプリケーション層データであり、処理ユニット410は、第1のマッピング関係情報及び第2のマッピング関係情報に基づいて、アップリンク信号が第1の信号、第2の信号及び第2のデータを含むと決定するように具体的に構成される。
【０１７６】
任意選択で、アップリンク状態はアップリンク同期状態であり、ターゲットデータはアプリケーション層データであり、処理ユニット410は、第1のマッピング関係情報及び第3のマッピング関係情報に基づいて、アップリンク信号が第2の信号、第3の信号及び第1のデータを含むと決定するように具体的に構成される。
【０１７７】
任意選択で、第3のマッピング関係情報は、第1のデータの属性情報と第2の信号と第3の信号との間の対応関係を含む。
【０１７８】
この出願のこの実施形態における端末デバイス400は、この出願の方法の実施形態における端末デバイスに対応してもよいことが理解されるべきである。さらに、端末デバイス400内のモジュール及び他のモジュールの動作及び/又は機能は、方法100の対応する手順を実現することを意図する。簡潔にするために、詳細はここでは再び説明しない。
【０１７９】
この出願のこの実施形態において、処理ユニット410は、プロセッサにより実現されてもよく、送受信ユニット420は、送受信機により実現されてもよい点に留意すべきである。図９に示すように、端末デバイス500は、プロセッサ510と、送受信機520と、メモリ530とを含んでもよい。メモリ530は、指示情報を記憶するように構成されてもよく、プロセッサ510により実行されるべきコード、命令等を記憶するように更に構成されてもよい。
【０１８０】
端末デバイス500のコンポーネントは、バスシステムを使用することにより接続される。データバスに加えて、バスシステムは、電力バス、制御バス及び状態信号バスを含む。
【０１８１】
実現プロセスにおいて、上記の方法のステップは、プロセッサ内のハードウェア集積論理回路を使用することにより、或いはソフトウェアの形式の命令を使用することにより完了されてもよい。この出願の実施形態を参照して開示される方法のステップは、ハードウェアプロセッサにより直接実行されてもよく、或いはプロセッサ内のハードウェアとソフトウェアモジュールとの組み合わせにより実行されてもよい。ソフトウェアモジュールは、ランダムアクセスメモリ、フラッシュメモリ、読み取り専用メモリ、プログラム可能読み取り専用メモリ、電気的消去可能プログラム可能メモリ又はレジスタのような、当該技術分野における成熟した記憶媒体に位置してもよい。記憶媒体は、メモリに位置する。プロセッサは、メモリ内の命令を実行し、プロセッサ内のハードウェアと組み合わせて上記の方法のステップを完了する。繰り返しを回避するために、詳細はここでは再び説明しない。
【０１８２】
この出願の実施形態及び添付の特許請求の範囲において使用される用語は、具体的な実施形態を説明することのみを意図しており、この出願を限定することを意図するものではない。
【０１８３】
例えば、この出願の実施形態における用語「及び/又は」は、関連する対象物を記述するための関連付け関係のみを記述し、3つの関係が存在し得ることを表す。具体的には、A及び/又はBは、Aのみが存在すること、AとBとの双方が存在すること、及びBのみが存在することの3つの場合を表す。さらに、この明細書における文字「/」は、一般に、関連する対象物の間の「又は」の関係を示す。
【０１８４】
他の例では、この出願の実施形態及び添付の特許請求の範囲の実施形態において使用される単数形の「1つ」、「前記」及び「上記」は、他の意味が文脈において明確に示されていない限り、複数形を含むことを意図する。
【０１８５】
更に他の例では、「第1」、「第2」及び「第3」のような用語は、この出願の実施形態において、様々なメッセージ、要求及び端末を記述するために使用され得るが、メッセージ、要求及び端末は、これらの用語に限定されるべきではない。これらの用語は、メッセージ、要求及び端末を区別するためにのみ使用される。例えば、この出願の実施形態の範囲から逸脱しないことを条件として、第1の端末は第2の端末とも呼ばれてもよく、同様に第2の端末は第1の端末とも呼ばれてもよい。
【０１８６】
更に他の例では、文脈に応じて、ここで使用される用語「場合」は、「間」、「とき」、「決定に応じて」又は「検出に応じて」として解釈されてもよい。同様に、文脈に応じて、「決定した場合」又は「(言及された条件又はイベントを)検出した場合」は、「決定したとき」、「決定に応じて」、「(言及された条件又は事象を)検出したとき」又は「(言及された条件又は事象を)検出に応じて」として解釈されてもよい。
【０１８７】
当業者は、この明細書に開示される実施形態を参照して記載される例におけるユニット及びアルゴリズムステップが、電子ハードウェア、又はコンピュータソフトウェアと電子ハードウェアとの組み合わせにより実現できることを認識し得る。機能がハードウェアにより実行されるかソフトウェアにより実行されるかは、技術的解決策の特定の用途及び設計上の制約に依存する。当業者は、それぞれの特定の用途について記載された機能を実現するために異なる方法を使用してもよいが、実現方式がこの出願の範囲を超えるものと考えられるべきではない。
【０１８８】
説明の容易さ及び簡潔さを目的として、上記のシステム、装置及びユニットの詳細な動作プロセスについて、上記の方法の実施形態における対応するプロセスに参照が行われてもよいことは、当業者により明確に理解され得る。詳細はここでは再び説明しない。
【０１８９】
この出願において提供されるいくつかの実施形態において、開示されたシステム、装置及び方法は、他の方式で実現されてもよいことが理解されるべきである。例えば、記載された装置の実施形態は、単なる例である。例えば、ユニットの分割は、単なる論理的機能分割であり、実際の実現方式では他の分割でもよい。例えば、複数のユニット又はコンポーネントは組み合わられてもよく或いは他のシステムに統合されてもよく、或いはいくつかの特徴が無視されてもよく或いは実行されなくてもよい。さらに、表示又は議論された相互結合若しくは直接結合又は通信接続は、いくつかのインタフェースを通じて実現されてもよい。装置又はユニットの間の間接結合又は通信接続は、電気的、機械的又は他の形式で実現されてもよい。
【０１９０】
別々の部分として記載されたユニットは、物理的に別々でもよく或いは別々でなくてもよく、ユニットとして表示された部分は、物理的ユニットでもよく或いは物理的ユニットでなくてもよく、1つの場所に位置してもよく或いは複数のネットワークユニットに分散されてもよい。この出願の実施形態の目的を達成するために、ユニットの一部又は全部が実際の要件に応じて選択されてもよい。
【０１９１】
さらに、この出願の実施形態における機能ユニットは、1つの処理ユニットに統合されてもよく、或いはユニットのそれぞれは、物理的に単独で存在してもよく、或いは少なくとも2つのユニットは、1つのユニットに統合されてもよい。
【０１９２】
機能がソフトウェア機能ユニットの形式で実現され、独立したプロダクトとして販売又は使用されるとき、機能は、コンピュータ読み取り可能記憶媒体に記憶されてもよい。このような理解に基づいて、この出願の技術的解決策は基本的に、或いは従来技術に寄与する部分又は技術的解決策のいくつかは、ソフトウェアプロダクトの形式で実現されてもよい。コンピュータソフトウェアプロダクトは記憶媒体に記憶され、コンピュータデバイス(パーソナルコンピュータ、サーバ、ネットワークデバイス等でもよい)に対してこの出願の実施形態に記載される方法のステップの全部又は一部を実行するように命令するためのいくつかの命令を含む。上記の記憶媒体は、USBフラッシュドライブ、取り外し可能ハードディスク、読み取り専用メモリ(Read-Only  Memory,  ROM)、ランダムアクセスメモリ(Random  Access  Memory,  RAM)、磁気ディスク又は光ディスクのようなプログラムコードを記憶できるいずれかの媒体を含む。
【０１９３】
上記の内容は、単にこの出願の具体的な実現方式に過ぎず、この出願の保護範囲を限定することを意図するものではない。この出願に開示される技術的範囲内で当業者により容易に理解される如何なる変更又は置換も、この出願の保護範囲内に入るものとする。したがって、この出願の保護範囲は、特許請求の範囲の保護範囲に従うものとする。
【図１】
2020507945.tif 000003
【図２】
2020507945.tif 000004
【図３】
2020507945.tif 000005
【図４】
2020507945.tif 000006
【図５】
2020507945.tif 000007
【図６】
2020507945.tif 000008
【図７】
2020507945.tif 000009
【図８】
2020507945.tif 000010
【図９】
2020507945.tif 000011
【手続補正書】
【提出日】令和1年7月25日(2019.7.25)
【手続補正１】
【補正対象書類名】特許請求の範囲
【補正対象項目名】全文
【補正方法】変更
【補正の内容】
【特許請求の範囲】
【請求項１】
データ伝送方法であって、
ネットワークデバイスにより、アップリンク信号内の第1の信号を検出するステップと、
前記ネットワークデバイスにより、前記第1の信号を検出した結果に基づいて、前記アップリンク信号の信号構造を決定するステップと、
前記ネットワークデバイスにより、前記信号構造に基づいて、前記アップリンク信号を受信するステップ、及び/又は前記信号構造に基づいて、前記アップリンク信号に応答するステップと
を含む方法。
【請求項２】
前記ネットワークデバイスが前記第1の信号を見つけた場合、
前記ネットワークデバイスにより、前記第1の信号を検出した結果に基づいて、前記アップリンク信号の信号構造を決定するステップは、
前記ネットワークデバイスにより、第1のマッピング関係情報及び前記第1の信号に基づいて、前記信号構造を決定するステップであり、前記第1のマッピング関係情報は、前記第1の信号と前記信号構造との間の対応関係、及び/又は前記第1の信号を伝送するために使用されるリソースと前記信号構造との間の対応関係を含む、ステップを含む、請求項１に記載の方法。
【請求項３】
前記ネットワークデバイスにより、第1のマッピング関係情報及び前記第1の信号に基づいて、前記信号構造を決定するステップは、
前記ネットワークデバイスにより、前記第1のマッピング関係情報及び前記第1の信号に基づいて、前記アップリンク信号が前記第1の信号のみを含むと決定するステップを含み、
前記ネットワークデバイスにより、前記信号構造に基づいて、前記アップリンク信号を受信するステップ、及び/又は前記信号構造に基づいて、前記アップリンク信号に応答するステップは、
前記ネットワークデバイスにより、応答メッセージを端末デバイスに送信するステップであり、前記応答メッセージは、前記第1の信号のフィードバック情報を含む、ステップを含む、請求項２に記載の方法。
【請求項４】
前記ネットワークデバイスにより、前記信号構造に基づいて、前記アップリンク信号を受信するステップ、及び/又は前記信号構造に基づいて、前記アップリンク信号に応答するステップの前に、
前記ネットワークデバイスにより、第2のマッピング関係情報及び前記第1の信号に基づいて、第2の信号を決定するステップであり、前記第2のマッピング関係情報は、前記第2の信号と前記第1の信号との間の対応関係と、前記第1の信号と第3の信号、第1のデータの属性情報及び第2のデータの属性情報のうち少なくとも1つとの間の対応関係とを含む、ステップを更に含む、請求項２に記載の方法。
【請求項５】
前記ネットワークデバイスにより、第1のマッピング関係情報及び前記第1の信号に基づいて、前記信号構造を決定するステップは、
前記ネットワークデバイスにより、前記第1のマッピング関係情報及び前記第1の信号に基づいて、前記アップリンク信号が前記第1の信号、前記第2の信号、前記第3の信号及び前記第1のデータを含むと決定するステップを含み、
前記ネットワークデバイスにより、前記信号構造に基づいて、前記アップリンク信号を受信するステップ、及び/又は前記信号構造に基づいて、前記アップリンク信号に応答するステップは、
前記ネットワークデバイスにより、前記第2のマッピング関係情報及び前記第1の信号に基づいて、前記第3の信号及び前記第1のデータの前記属性情報を決定するステップと、
前記ネットワークデバイスにより、前記第2の信号、前記第3の信号及び前記第1のデータの前記属性情報に基づいて、前記第1のデータを受信するステップと、
前記ネットワークデバイスにより、応答メッセージを端末デバイスに送信するステップであり、前記応答メッセージは、前記第1の信号のフィードバック情報及び前記第1のデータのフィードバック情報を含む、ステップと
を含むか、或いは
前記ネットワークデバイスにより、第1のマッピング関係情報及び前記第1の信号に基づいて、前記信号構造を決定するステップは、
前記ネットワークデバイスにより、前記第1のマッピング関係情報及び前記第1の信号に基づいて、前記アップリンク信号が前記第1の信号、前記第2の信号及び前記第2のデータを含むと決定するステップを含み、
前記ネットワークデバイスにより、前記信号構造に基づいて、前記アップリンク信号を受信するステップ、及び/又は前記信号構造に基づいて、前記アップリンク信号に応答するステップは、
前記ネットワークデバイスにより、前記第2の信号に基づいて、前記第2のデータを受信するステップと、
前記ネットワークデバイスにより、応答メッセージを端末デバイスに送信するステップであり、前記応答メッセージは、前記第1の信号のフィードバック情報を含む、ステップと
を含む、請求項４に記載の方法。
【請求項６】
前記ネットワークデバイスが第1の信号を見つけなかった場合、
前記ネットワークデバイスにより、前記第1の信号を検出した結果に基づいて、前記アップリンク信号の信号構造を決定するステップは、
前記ネットワークデバイスにより、前記アップリンク信号が第2の信号、第3の信号及び第1のデータを含むと決定するステップを含み、
前記ネットワークデバイスにより、前記信号構造に基づいて、前記アップリンク信号を受信するステップ、及び/又は前記信号構造に基づいて、前記アップリンク信号に応答するステップは、
前記ネットワークデバイスにより、第3のマッピング関係情報に基づいて、前記第2の信号、前記第3の信号及び前記第1のデータの属性情報を決定するステップと、
前記ネットワークデバイスにより、前記第2の信号、前記第3の信号及び前記第1のデータの前記属性情報に基づいて、前記第1のデータを受信するステップと、
前記ネットワークデバイスにより、応答メッセージを端末デバイスに送信するステップであり、前記応答メッセージは、前記第1のデータのフィードバック情報を含む、ステップと
を含む、請求項１に記載の方法。
【請求項７】
前記第3のマッピング関係情報は、前記第1のデータの前記属性情報と前記第2の信号と前記第3の信号との間の対応関係を含む、請求項６に記載の方法。
【請求項８】
データ伝送方法であって、
端末デバイスにより、アップリンク状態及びターゲットデータのタイプに基づいて、アップリンク信号の信号構造を決定するステップと、
前記端末デバイスにより、第1のマッピング関係情報及び前記アップリンク信号の前記信号構造に基づいて、前記アップリンク信号を送信するステップと
を含む方法。
【請求項９】
前記第1のマッピング関係情報は、第1の信号と前記信号構造との間の対応関係、及び/又は前記第1の信号を伝送するために使用されるリソースと前記信号構造との間の対応関係を含む、請求項８に記載の方法。
【請求項１０】
前記ターゲットデータは空であり、
端末デバイスにより、アップリンク状態及びターゲットデータのタイプに基づいて、アップリンク信号の信号構造を決定するステップは、
前記端末デバイスにより、前記第1のマッピング関係情報に基づいて、前記アップリンク信号が前記第1の信号のみを含むと決定するステップを含む、請求項９に記載の方法。
【請求項１１】
前記端末デバイスにより、第1のマッピング関係情報及び前記アップリンク信号の前記信号構造に基づいて、前記アップリンク信号を送信するステップの前に、
前記端末デバイスにより、第2のマッピング関係情報及び前記第1の信号に基づいて、第2の信号を決定するステップであり、前記第2のマッピング関係情報は、前記第2の信号と前記第1の信号との間の対応関係と、前記第1の信号と第3の信号、第1のデータの属性情報及び第2のデータの属性情報のうち少なくとも1つとの間の対応関係を含む、ステップを更に含む、請求項９に記載の方法。
【請求項１２】
前記ターゲットデータはアプリケーション層データであり、
端末デバイスにより、アップリンク状態及びターゲットデータのタイプに基づいて、アップリンク信号の信号構造を決定するステップは、
前記端末デバイスにより、前記第1のマッピング関係情報及び前記第2のマッピング関係情報に基づいて、前記アップリンク信号が前記第1の信号、前記第2の信号、前記第3の信号及び前記第1のデータを含むと決定するステップを含むか、或いは
前記ターゲットデータは非アプリケーション層データであり、
端末デバイスにより、アップリンク状態及びターゲットデータのタイプに基づいて、アップリンク信号の信号構造を決定するステップは、
前記端末デバイスにより、前記第1のマッピング関係情報及び前記第2のマッピング関係情報に基づいて、前記アップリンク信号が前記第1の信号、前記第2の信号及び前記第2のデータを含むと決定するステップを含む、請求項１１に記載の方法。
【請求項１３】
前記アップリンク状態はアップリンク同期状態であり、前記ターゲットデータはアプリケーション層データであり、
端末デバイスにより、アップリンク状態及びターゲットデータのタイプに基づいて、アップリンク信号の信号構造を決定するステップは、
前記端末デバイスにより、第3のマッピング関係情報に基づいて、前記アップリンク信号が第2の信号、第3の信号及び第1のデータを含むと決定するステップを含む、請求項８に記載の方法。
【請求項１４】
データ伝送のためのネットワークデバイスであって、
アップリンク信号内の第1の信号を検出するように構成された検出ユニットと、
前記第1の信号を検出した結果に基づいて、前記アップリンク信号の信号構造を決定するように構成された処理ユニットと、
前記信号構造に基づいて、前記アップリンク信号を受信するように、及び/又は前記信号構造に基づいて、前記アップリンク信号に応答するように構成された送受信ユニットと
を含むネットワークデバイス。
【請求項１５】
データ伝送のための端末デバイスであって、
アップリンク状態及びターゲットデータのタイプに基づいて、アップリンク信号の信号構造を決定するように構成された処理ユニットと、
第1のマッピング関係情報及び前記アップリンク信号の前記信号構造に基づいて、前記アップリンク信号を送信するように構成された送受信ユニットと
を含む端末デバイス。
【手続補正２】
【補正対象書類名】明細書
【補正対象項目名】０１９３
【補正方法】変更
【補正の内容】
【０１９３】
上記の内容は、単にこの出願の具体的な実現方式に過ぎず、この出願の保護範囲を限定することを意図するものではない。この出願に開示される技術的範囲内で当業者により容易に理解される如何なる変更又は置換も、この出願の保護範囲内に入るものとする。したがって、この出願の保護範囲は、特許請求の範囲の保護範囲に従うものとする。
本発明の一例に従って、この出願は以下の実施形態を更に提供する。
実施形態１：データ伝送方法であって、
ネットワークデバイスにより、アップリンク信号内の第1の信号を検出するステップと、
前記ネットワークデバイスにより、前記第1の信号を検出した結果に基づいて、前記アップリンク信号の信号構造を決定するステップと、
前記ネットワークデバイスにより、前記信号構造に基づいて、前記アップリンク信号を受信するステップ、及び/又は前記信号構造に基づいて、前記アップリンク信号に応答するステップと
を含む方法。
実施形態２：前記ネットワークデバイスが前記第1の信号を見つけた場合、
前記ネットワークデバイスにより、前記第1の信号を検出した結果に基づいて、前記アップリンク信号の信号構造を決定するステップは、
前記ネットワークデバイスにより、第1のマッピング関係情報及び前記第1の信号に基づいて、前記信号構造を決定するステップであり、前記第1のマッピング関係情報は、前記第1の信号と前記信号構造との間の対応関係、及び/又は前記第1の信号を伝送するために使用されるリソースと前記信号構造との間の対応関係を含む、ステップを含む、実施形態１に記載の方法。
実施形態３：前記ネットワークデバイスにより、第1のマッピング関係情報及び前記第1の信号に基づいて、前記信号構造を決定するステップは、
前記ネットワークデバイスにより、前記第1のマッピング関係情報及び前記第1の信号に基づいて、前記アップリンク信号が前記第1の信号のみを含むと決定するステップを含み、
前記ネットワークデバイスにより、前記信号構造に基づいて、前記アップリンク信号を受信するステップ、及び/又は前記信号構造に基づいて、前記アップリンク信号に応答するステップは、
前記ネットワークデバイスにより、応答メッセージを端末デバイスに送信するステップであり、前記応答メッセージは、前記第1の信号のフィードバック情報を含む、ステップを含む、実施形態２に記載の方法。
実施形態４：前記ネットワークデバイスにより、前記信号構造に基づいて、前記アップリンク信号を受信するステップ、及び/又は前記信号構造に基づいて、前記アップリンク信号に応答するステップの前に、
前記ネットワークデバイスにより、第2のマッピング関係情報及び前記第1の信号に基づいて、第2の信号を決定するステップであり、前記第2のマッピング関係情報は、前記第2の信号と前記第1の信号との間の対応関係と、前記第1の信号と第3の信号、第1のデータの属性情報及び第2のデータの属性情報のうち少なくとも1つとの間の対応関係とを含む、ステップを更に含む、実施形態２に記載の方法。
実施形態５：前記ネットワークデバイスにより、第1のマッピング関係情報及び前記第1の信号に基づいて、前記信号構造を決定するステップは、
前記ネットワークデバイスにより、前記第1のマッピング関係情報及び前記第1の信号に基づいて、前記アップリンク信号が前記第1の信号、前記第2の信号、前記第3の信号及び前記第1のデータを含むと決定するステップを含み、
前記ネットワークデバイスにより、前記信号構造に基づいて、前記アップリンク信号を受信するステップ、及び/又は前記信号構造に基づいて、前記アップリンク信号に応答するステップは、
前記ネットワークデバイスにより、前記第2のマッピング関係情報及び前記第1の信号に基づいて、前記第3の信号及び前記第1のデータの前記属性情報を決定するステップと、
前記ネットワークデバイスにより、前記第2の信号、前記第3の信号及び前記第1のデータの前記属性情報に基づいて、前記第1のデータを受信するステップと、
前記ネットワークデバイスにより、応答メッセージを端末デバイスに送信するステップであり、前記応答メッセージは、前記第1の信号のフィードバック情報及び前記第1のデータのフィードバック情報を含む、ステップと
を含む、実施形態４に記載の方法。
実施形態６：前記ネットワークデバイスにより、第1のマッピング関係情報及び前記第1の信号に基づいて、前記信号構造を決定するステップは、
前記ネットワークデバイスにより、前記第1のマッピング関係情報及び前記第1の信号に基づいて、前記アップリンク信号が前記第1の信号、前記第2の信号及び前記第2のデータを含むと決定するステップを含み、
前記ネットワークデバイスにより、前記信号構造に基づいて、前記アップリンク信号を受信するステップ、及び/又は前記信号構造に基づいて、前記アップリンク信号に応答するステップは、
前記ネットワークデバイスにより、前記第2の信号に基づいて、前記第2のデータを受信するステップと、
前記ネットワークデバイスにより、応答メッセージを端末デバイスに送信するステップであり、前記応答メッセージは、前記第1の信号のフィードバック情報を含む、ステップと
を含む、実施形態４に記載の方法。
実施形態７：前記ネットワークデバイスが第1の信号を見つけなかった場合、
前記ネットワークデバイスにより、前記第1の信号を検出した結果に基づいて、前記アップリンク信号の信号構造を決定するステップは、
前記ネットワークデバイスにより、前記アップリンク信号が第2の信号、第3の信号及び第1のデータを含むと決定するステップを含み、
前記ネットワークデバイスにより、前記信号構造に基づいて、前記アップリンク信号を受信するステップ、及び/又は前記信号構造に基づいて、前記アップリンク信号に応答するステップは、
前記ネットワークデバイスにより、第3のマッピング関係情報に基づいて、前記第2の信号、前記第3の信号及び前記第1のデータの属性情報を決定するステップと、
前記ネットワークデバイスにより、前記第2の信号、前記第3の信号及び前記第1のデータの前記属性情報に基づいて、前記第1のデータを受信するステップと、
前記ネットワークデバイスにより、応答メッセージを端末デバイスに送信するステップであり、前記応答メッセージは、前記第1のデータのフィードバック情報を含む、ステップと
を含む、実施形態１に記載の方法。
実施形態８：前記第3のマッピング関係情報は、前記第1のデータの前記属性情報と前記第2の信号と前記第3の信号との間の対応関係を含む、実施形態７に記載の方法。
実施形態９：前記属性情報は、直交周波数分割多重OFDMシンボルのサイクリックプレフィックス長、OFDMシンボルリソース並びに変調及び符号化方式MCSのうち少なくとも1つを含む、実施形態４、５、６及び８のうちいずれか１項に記載の方法。
実施形態１０：前記第1の信号は、前記端末デバイスと前記ネットワークデバイスとの間のアップリンク同期に使用され、前記第3の信号は、前記端末デバイスと前記ネットワークデバイスとの間のアップリンクチャネルを推定するために使用される、実施形態４乃至９のうちいずれか１項に記載の方法。
実施形態１１：データ伝送方法であって、
端末デバイスにより、アップリンク状態及びターゲットデータのタイプに基づいて、アップリンク信号の信号構造を決定するステップと、
前記端末デバイスにより、第1のマッピング関係情報及び前記アップリンク信号の前記信号構造に基づいて、前記アップリンク信号を送信するステップと
を含む方法。
実施形態１２：前記第1のマッピング関係情報は、第1の信号と前記信号構造との間の対応関係、及び/又は前記第1の信号を伝送するために使用されるリソースと前記信号構造との間の対応関係を含む、実施形態１１に記載の方法。
実施形態１３：前記アップリンク状態は、アップリンク同期外れ状態である、実施形態１１又は１２に記載の方法。
実施形態１４：前記ターゲットデータは空であり、
端末デバイスにより、アップリンク状態及びターゲットデータのタイプに基づいて、アップリンク信号の信号構造を決定するステップは、
前記端末デバイスにより、前記第1のマッピング関係情報に基づいて、前記アップリンク信号が前記第1の信号のみを含むと決定するステップを含む、実施形態１３に記載の方法。
実施形態１５：前記端末デバイスにより、第1のマッピング関係情報及び前記アップリンク信号の前記信号構造に基づいて、前記アップリンク信号を送信するステップの前に、
前記端末デバイスにより、第2のマッピング関係情報及び前記第1の信号に基づいて、第2の信号を決定するステップであり、前記第2のマッピング関係情報は、前記第2の信号と前記第1の信号との間の対応関係と、前記第1の信号と第3の信号、第1のデータの属性情報及び第2のデータの属性情報のうち少なくとも1つとの間の対応関係を含む、ステップを更に含む、実施形態１１又は１２に記載の方法。
実施形態１６：前記ターゲットデータはアプリケーション層データであり、
端末デバイスにより、アップリンク状態及びターゲットデータのタイプに基づいて、アップリンク信号の信号構造を決定するステップは、
前記端末デバイスにより、前記第1のマッピング関係情報及び前記第2のマッピング関係情報に基づいて、前記アップリンク信号が前記第1の信号、前記第2の信号、前記第3の信号及び前記第1のデータを含むと決定するステップを含む、実施形態１５に記載の方法。
実施形態１７：前記ターゲットデータは非アプリケーション層データであり、
端末デバイスにより、アップリンク状態及びターゲットデータのタイプに基づいて、アップリンク信号の信号構造を決定するステップは、
前記端末デバイスにより、前記第1のマッピング関係情報及び前記第2のマッピング関係情報に基づいて、前記アップリンク信号が前記第1の信号、前記第2の信号及び前記第2のデータを含むと決定するステップを含む、実施形態１５に記載の方法。
実施形態１８：前記アップリンク状態はアップリンク同期状態であり、前記ターゲットデータはアプリケーション層データであり、
端末デバイスにより、アップリンク状態及びターゲットデータのタイプに基づいて、アップリンク信号の信号構造を決定するステップは、
前記端末デバイスにより、第3のマッピング関係情報に基づいて、前記アップリンク信号が第2の信号、第3の信号及び第1のデータを含むと決定するステップを含む、実施形態１１に記載の方法。
実施形態１９：前記第3のマッピング関係情報は、前記第1のデータの属性情報と前記第2の信号と前記第3の信号との間の対応関係を含む、実施形態１８に記載の方法。
実施形態２０：データ伝送のためのネットワークデバイスであって、
アップリンク信号内の第1の信号を検出するように構成された検出ユニットと、
前記第1の信号を検出した結果に基づいて、前記アップリンク信号の信号構造を決定するように構成された処理ユニットと、
前記信号構造に基づいて、前記アップリンク信号を受信するように、及び/又は前記信号構造に基づいて、前記アップリンク信号に応答するように構成された送受信ユニットと
を含むネットワークデバイス。
実施形態２１：前記ネットワークデバイスが前記第1の信号を見つけた場合、前記処理ユニットは、
第1のマッピング関係情報及び前記第1の信号に基づいて、前記信号構造を決定するように具体的に構成され、
前記第1のマッピング関係情報は、前記第1の信号と前記信号構造との間の対応関係、及び/又は前記第1の信号を伝送するために使用されるリソースと前記信号構造との間の対応関係を含む、実施形態２０に記載のネットワークデバイス。
実施形態２２：前記処理ユニットは、
前記第1のマッピング関係情報及び前記第1の信号に基づいて、前記アップリンク信号が前記第1の信号のみを含むと決定するように具体的に構成され、
前記送受信ユニットは、
応答メッセージを端末デバイスに送信するように具体的に構成され、前記応答メッセージは、前記第1の信号のフィードバック情報を含む、実施形態２０に記載のネットワークデバイス。
実施形態２３：前記ネットワークデバイスにより、前記信号構造に基づいて、前記アップリンク信号を受信する前に、及び/又は前記信号構造に基づいて、前記アップリンク信号に応答する前に、前記処理ユニットは、
第2のマッピング関係情報及び前記第1の信号に基づいて、第2の信号を決定するように更に構成され、
前記第2のマッピング関係情報は、前記第2の信号と前記第1の信号との間の対応関係と、前記第1の信号と第3の信号、第1のデータの属性情報及び第2のデータの属性情報のうち少なくとも1つとの間の対応関係とを含む、実施形態２０又は２１に記載のネットワークデバイス。
実施形態２４：前記処理ユニットは、
前記第1のマッピング関係情報及び前記第1の信号に基づいて、前記アップリンク信号が前記第1の信号、前記第2の信号、前記第3の信号及び前記第1のデータを含むと決定するように具体的に構成され、
前記送受信ユニットは、
前記第2のマッピング関係情報及び前記第1の信号に基づいて、前記第3の信号及び前記第1のデータの前記属性情報を決定し、
前記第2の信号、前記第3の信号及び前記第1のデータの前記属性情報に基づいて、前記第1のデータを受信し、
応答メッセージを端末デバイスに送信するように具体的に構成され、前記応答メッセージは、前記第1の信号のフィードバック情報及び前記第1のデータのフィードバック情報を含む、実施形態２３に記載のネットワークデバイス。
実施形態２５：前記処理ユニットは、
前記第1のマッピング関係情報及び前記第1の信号に基づいて、前記アップリンク信号が前記第1の信号、前記第2の信号及び前記第2のデータを含むと決定するように具体的に構成され、
前記送受信ユニットは、
前記第2の信号に基づいて、前記第2のデータを受信し、
応答メッセージを端末デバイスに送信するように具体的に構成され、前記応答メッセージは、前記第1の信号のフィードバック情報を含む、実施形態２３に記載のネットワークデバイス。
実施形態２６：前記ネットワークデバイスが第1の信号を見つけなかった場合、
前記処理ユニットは、
第3のマッピング関係情報に基づいて、前記アップリンク信号が第2の信号、第3の信号及び第1のデータを含むと決定するように具体的に構成され、
前記送受信ユニットは、
前記第3のマッピング関係情報に基づいて、前記第2の信号、前記第3の信号及び前記第1のデータの属性情報を決定し、
前記第2の信号、前記第3の信号及び前記第1のデータの前記属性情報に基づいて、前記第1のデータを受信し、
応答メッセージを端末デバイスに送信するように具体的に構成され、前記応答メッセージは、前記第1のデータのフィードバック情報を含む、実施形態２０に記載のネットワークデバイス。
実施形態２７：前記第3のマッピング関係情報は、前記第1のデータの前記属性情報と前記第2の信号と前記第3の信号との間の対応関係を含む、実施形態２６に記載のネットワークデバイス。
実施形態２８：前記属性情報は、直交周波数分割多重OFDMシンボルのサイクリックプレフィックス長、OFDMシンボルリソース並びに変調及び符号化方式MCSのうち少なくとも1つを含む、実施形態２３、２４、２５及び２７のうちいずれか１項に記載のネットワークデバイス。
実施形態２９：前記応答メッセージは、前記端末デバイスのアップリンクグラント情報を更に含む、実施形態２２、２４、２５及び２６のうちいずれか１項に記載のネットワークデバイス。
実施形態３０：前記第1の信号は、前記端末デバイスと前記ネットワークデバイスとの間のアップリンク同期に使用され、前記第3の信号は、前記端末デバイスと前記ネットワークデバイスとの間のアップリンクチャネルを推定するために使用される、実施形態２３乃至２９のうちいずれか１項に記載のネットワークデバイス。
実施形態３１：前記第1の信号、前記第2の信号、前記第3の信号及び前記第2のデータのうち少なくとも2つは、同じ系列又は同じ信号である、実施形態２３乃至３０のうちいずれか１項に記載のネットワークデバイス。
実施形態３２：前記検出ユニットが前記第1の信号を検出する前に、前記送受信ユニットは、
前記第1のマッピング関係情報、前記第2のマッピング関係情報及び前記第3のマッピング関係情報のうち少なくとも1つを前記端末デバイスに送信するように更に構成される、実施形態２１乃至３１のうちいずれか１項に記載のネットワークデバイス。
実施形態３３：データ伝送のための端末デバイスであって、
アップリンク状態及びターゲットデータのタイプに基づいて、アップリンク信号の信号構造を決定するように構成された処理ユニットと、
第1のマッピング関係情報及び前記アップリンク信号の前記信号構造に基づいて、前記アップリンク信号を送信するように構成された送受信ユニットと
を含む端末デバイス。
実施形態３４：前記第1のマッピング関係情報は、第1の信号と前記アップリンク信号の前記信号構造との間の対応関係、及び/又は前記第1の信号を伝送するために使用されるリソースと前記アップリンク信号の前記信号構造との間の対応関係を含む、実施形態３３に記載の端末デバイス。
実施形態３５：前記アップリンク状態は、アップリンク同期外れ状態である、実施形態３３又は３４に記載の端末デバイス。
実施形態３６：前記ターゲットデータは空であり、
前記処理ユニットは、
前記第1のマッピング関係情報に基づいて、前記アップリンク信号が前記第1の信号のみを含むと決定するように具体的に構成される、実施形態３５に記載の端末デバイス。
実施形態３７：前記送受信ユニットが前記第1のマッピング関係情報及び前記アップリンク信号の前記信号構造に基づいて、前記アップリンク信号を送信する前に、前記処理ユニットは、
第2のマッピング関係情報及び前記第1の信号に基づいて、第2の信号を決定するように更に構成され、
前記第2のマッピング関係情報は、前記第2の信号と前記第1の信号との間の対応関係と、前記第1の信号と第3の信号、第1のデータの属性情報及び第2のデータの属性情報のうち少なくとも1つとの間の対応関係を含む、実施形態３３又は３４に記載の端末デバイス。
実施形態３８：前記ターゲットデータはアプリケーション層データであり、
前記処理ユニットは、
前記第1のマッピング関係情報及び前記第2のマッピング関係情報に基づいて、前記アップリンク信号が前記第1の信号、前記第2の信号、前記第3の信号及び前記第1のデータを含むと決定するように具体的に構成される、実施形態３７に記載の端末デバイス。
実施形態３９：前記ターゲットデータは非アプリケーション層データであり、
前記処理ユニットは、
前記第1のマッピング関係情報及び前記第2のマッピング関係情報に基づいて、前記アップリンク信号が前記第1の信号、前記第2の信号及び前記第2のデータを含むと決定するように具体的に構成される、実施形態３７に記載の端末デバイス。
実施形態４０：前記アップリンク状態はアップリンク同期状態であり、前記ターゲットデータはアプリケーション層データであり、
前記処理ユニットは、
前記第1のマッピング関係情報及び前記第3のマッピング関係情報に基づいて、前記アップリンク信号が第2の信号、第3の信号及び第1のデータを含むと決定するように具体的に構成される、実施形態３３に記載の端末デバイス。
実施形態４１：前記第3のマッピング関係情報は、前記第1のデータの属性情報と前記第2の信号と前記第3の信号との間の対応関係を含む、実施形態４０に記載の端末デバイス。
【国際調査報告】
2020507945.tif 000012
2020507945.tif 000013
2020507945.tif 000014
2020507945.tif 000015